(57)【特許請求の範囲】
【請求項１】
複数のベースインキから配合される色彩の色見本を生成する色見本生成システムであり、
前記ベースインキから配合される配合インキの配合比率と、当該配合インキの色空間における座標値とが対応づけられて記憶されている色域データベースと、
外部から供給される色彩に対応する配合インキである対象配合インキの前記座標値により、前記色域データベースから対象配合インキにおける前記ベースインキの種類と、当該ベースインキの配合比率を読み出す配合比率抽出部と、
前記ベースインキ毎の配合量を予め設定された複数種類の割合にてベースインキ毎に変更し、変更結果により変化した前記配合インキ毎の配合比率である変更配合比率の組合せを複数組生成する配合比率変更部と、
前記変更配合比率の前記複数組それぞれが示す前記対象配合インキの前記座標値を、前記対象配合インキの前記配合比率の前記座標値に基づいて算出する座標値算出部と、
前記対象配合インキの前記配合比率及び前記変更配合比率の各々の前記座標値を出力する色彩出力部と
を有する
ことを特徴とする色見本生成システム。
【請求項２】
前記座標値算出部が、
前記対象配合インキの前記座標値を、当該対象配合インキを指定された下地素材に彩色された際の色彩に対応した座標値として求める
ことを特徴とする請求項１に記載の色見本生成システム。
【請求項３】
前記配合インキに対して、当該配合インキに含まれていない色のベースインキを追加ベースインキとして追加するベースインキ追加部
をさらに有し、
前記配合比率変更部が、前記追加ベースインキを含めて、前記配合インキにおける前記ベースインキ毎の前記配合量を予め設定された割合にて変更し、変更結果により変化した前記配合インキ毎の配合比率である変更配合比率を生成する
ことを特徴とする請求項１または請求項２に記載の色見本生成システム。
【請求項４】
前記ベースインキ追加部が、予め配合色に含まれている前記ベースインキに対して、前記ベースインキの色の色相環を示す色相環テーブルから、予め配合色に含まれている前記ベースインキの色に隣接する色のベースインキを前記追加ベースインキとして選択する
ことを特徴とする請求項３に記載の色見本生成システム。
【請求項５】
前記配合比率変更部が、前記ベースインキの種類毎に前記配合量の変化割合が設定された変更テーブルを参照し、前記ベースインキの種類に応じた変化割合を用いる
ことを特徴とする請求項３または請求項４に記載の色見本生成システム。
【請求項６】
複数のベースインキから配合される色彩の色見本を生成する色見本生成方法であり、
配合比率抽出部が、外部から供給される色彩に対応する配合インキである対象配合インキの色空間における座標値により、前記ベースインキから配合される配合インキの配合比率と、当該配合インキの色空間における座標値とが対応づけられて記憶されている色域データベースから、前記対象配合インキにおける前記ベースインキの種類と、当該ベースインキの配合比率を読み出す配合比率抽出過程と、
配合比率変更部が、前記ベースインキ毎の配合量を予め設定された複数種類の割合にてベースインキ毎に変更し、変更結果により変化した前記配合インキ毎の配合比率である変更配合比率の組合せを複数組生成する配合比率変更過程と、
座標値算出部が、前記変更配合比率の前記複数組それぞれが示す前記対象配合インキの前記座標値を、前記対象配合インキの前記配合比率の前記座標値に基づいて算出する座標値算出過程と、
色彩出力部が、前記対象配合インキの前記配合比率及び前記変更配合比率の各々の前記座標値を出力する色彩出力過程と
を含む
ことを特徴とする色見本生成方法。
【請求項７】
複数のベースインキから配合される色彩の色見本を生成する色見本生成システムの機能をコンピュータに実行させるプログラムであり、
前記コンピュータを、
外部から供給される色彩に対応する配合インキである対象配合インキの前記座標値により、前記ベースインキから配合される配合インキの配合比率と、当該配合インキの色空間における座標値とが対応づけられて記憶されている色域データベースから、前記対象配合インキにおける前記ベースインキの種類と、当該ベースインキの配合比率を読み出す配合比率抽出手段、
前記ベースインキ毎の配合量を予め設定された複数種類の割合にてベースインキ毎に変更し、変更結果により変化した前記配合インキ毎の配合比率である変更配合比率の組合せを複数組生成する配合比率変更手段、
前記変更配合比率の前記複数組それぞれが示す前記対象配合インキの前記座標値を、前記対象配合インキの前記配合比率の前記座標値に基づいて算出する座標値算出手段、
前記対象配合インキの前記配合比率及び前記変更配合比率の各々の前記座標値を出力する色彩出力手段
として機能させるためのプログラム。
【発明の詳細な説明】
【技術分野】
【０００１】
本発明は、彩色製品に対する彩色の色合わせに用いる色見本を生成する色見本生成システム、色見本生成方法及びそのプログラムに関する。
【背景技術】
【０００２】
従来から、包装や衣服などの彩色製品において、色決定者（例えば製品のデザイナー）が彩色する色を指定し、彩色製品製造者がこの指定された色を再現する作業を行い、再現した色により製品を彩色している。
ここで、彩色する色の指定には、一般的には色見本帳が用いられている（例えば、特許文献１参照）。この色見本帳の色の種類数は例えば数千色が用意されている。また、色見本帳において、彩色される下地の素材にはアート紙等の一般的な印刷可能な用紙が用いられ、これらの用紙への印刷方法は主にオフセット印刷が用いられている。【０００３】
色決定者が指定した色を伝える場合、指定したい色と同一または最も近い色のカラーチップを、関係者に受け渡している。
しかしながら、色見本帳の色は限られており、色決定者が求める連続的な色彩の変化ではなく、色彩の変化が離散的である。
このため、色決定者は、色数が少ないなかから色を指定するため、本当に望む色を選択して、彩色製品製造者に対して伝えることが困難である。【０００４】
この結果、彩色製品製造者に対し、色決定者の希望が伝わりにくく、色変更に際しては色決定者及び彩色製品製造者の各々に試行錯誤が多発することになる。このように、色見本帳のように、色の変化が離散的であると、色が最終的に決定するまで、多くの時間を要するため、効率が低下する要因となっている。すなわち、色決定者が伝える色彩に関する希望が、濃く、薄く、強く、弱くなどの抽象的な言語情報である。このため、この言語情報を色材配合の変更割合に変換する熟練を要する調色作業を行い、試行錯誤の結果として色決定者の希望する色彩を実現している。【０００５】
また、色決定者が色の選択に用いた色見本帳と、選択した色を生成する彩色製品製造時とでは、使用する材料や配合割合などが異なる。
このため、彩色製品製造者は、色決定者が設計した色を再現するため、彩色に必要なインキの配合や、材料の種類などを変化させ、煩雑な色合わせ作業を行うことになる。また、色決定者が指定する色見本帳の色は、彩色製品にて使用される材料では再現しない場合があり、最終的な色決定まで多くの時間を費やしたり、色指定のやり直しによる工程の後戻りが発生したりしている。
【先行技術文献】
【特許文献】
【０００６】
【特許文献１】特開２０１０−１７００６４号公報
【発明の概要】
【発明が解決しようとする課題】
【０００７】
本発明は、上述した点を鑑みてなされたもので、色決定者よる色選択時に、色決定者が望む色に近い色が選択でき、かつ選択した色の再現が容易となる色見本生成システム、色見本生成方法及びそのプログラムを提供することを目的とする。
【課題を解決するための手段】
【０００８】
この発明は上述した課題を解決するためになされたもので、本発明の色見本生成システムは、複数のベースインキから配合される色彩の色見本を生成する色見本生成システムであり、前記ベースインキから配合される配合インキの配合比率と、当該配合インキの色空間における座標値とが対応づけられて記憶されている色域データベースと、外部から供給される色彩に対応する配合インキである対象配合インキの前記座標値により、前記色域データベースから対象配合インキにおける前記ベースインキの種類と、当該ベースインキの配合比率を読み出す配合比率抽出部と、前記ベースインキ毎の配合量を予め設定された複数種類の割合にてベースインキ毎に変更し、変更結果により変化した前記配合インキ毎の配合比率である変更配合比率の組合せを複数組生成する配合比率変更部と、前記変更配合比率の前記複数組それぞれが示す前記対象配合インキの前記座標値を、前記対象配合インキの前記配合比率の前記座標値に基づいて算出する座標値算出部と、前記対象配合インキの前記配合比率及び前記変更配合比率の各々の前記座標値を出力する色彩出力部とを有することを特徴とする。
【０００９】
本発明の色見本生成システムは、前記座標値算出部が、前記対象配合インキの前記座標値を、当該対象配合インキを指定された下地素材に彩色された際の色彩に対応した座標値として求めることを特徴とする。
本発明の色見本生成システムは、前記配合インキに対して、当該配合インキに含まれていない色のベースインキを追加ベースインキとして追加するベースインキ追加部をさらに有し、前記配合比率変更部が、前記追加ベースインキを含めて、前記配合インキにおける前記ベースインキ毎の配合比率を予め設定された割合にて変化させ、複数の変更配合比率を生成することを特徴とする。
【００１０】
本発明の色見本生成システムは、前記ベースインキ追加部が、予め配合色に含まれている前記ベースインキに対して、前記ベースインキの色の色相環を示す色相環テーブルから、予め配合色に含まれている前記ベースインキの色に隣接する色のベースインキを前記追加ベースインキとして選択することを特徴とする。【００１１】
本発明の色見本生成システムは、前記配合比率変更部が、前記ベースインキの種類毎に前記配合量の変化割合が設定された変更テーブルを参照し、前記ベースインキの種類に応じた変化割合を用いることを特徴とする。【００１２】
本発明の色見本生成方法は、複数のベースインキから配合される色彩の色見本を生成する色見本生成方法であり、配合比率抽出部が、外部から供給される色彩に対応する配合インキである対象配合インキの色空間における座標値により、前記ベースインキから配合される配合インキの配合比率と、当該配合インキの色空間における座標値とが対応づけられて記憶されている色域データベースから、前記対象配合インキにおける前記ベースインキの種類と、当該ベースインキの配合比率を読み出す配合比率抽出過程と、配合比率変更部が、前記ベースインキ毎の配合量を予め設定された複数種類の割合にてベースインキ毎に変更し、変更結果により変化した前記配合インキ毎の配合比率である変更配合比率の組合せを複数組生成する配合比率変更過程と、座標値算出部が、前記変更配合比率の前記複数組それぞれが示す前記対象配合インキの前記座標値を、前記対象配合インキの前記配合比率の前記座標値に基づいて算出する座標値算出過程と、色彩出力部が、前記対象配合インキの前記配合比率及び前記変更配合比率の各々の前記座標値を出力する色彩出力過程とを含むことを特徴とする。
【００１３】
本発明のプログラムは、複数のベースインキから配合される色彩の色見本を生成する色見本生成システムの機能をコンピュータに実行させるプログラムであり、前記コンピュータを、外部から供給される色彩に対応する配合インキである対象配合インキの前記座標値により、前記ベースインキから配合される配合インキの配合比率と、当該配合インキの色空間における座標値とが対応づけられて記憶されている色域データベースから、前記対象配合インキにおける前記ベースインキの種類と、当該ベースインキの配合比率を読み出す配合比率抽出手段、前記ベースインキ毎の配合量を予め設定された複数種類の割合にてベースインキ毎に変更し、変更結果により変化した前記配合インキ毎の配合比率である変更配合比率の組合せを複数組生成する配合比率変更手段、前記変更配合比率の前記複数組それぞれが示す前記対象配合インキの前記座標値を、前記対象配合インキの前記配合比率の前記座標値に基づいて算出する座標値算出手段、前記対象配合インキの前記配合比率及び前記変更配合比率の各々の前記座標値を出力する色彩出力手段として機能させるためのプログラムである。
【発明の効果】
【００１４】
この発明によれば、色決定者よる色選択時に、色決定者が望む色に近い色が選択でき、かつ選択した色の再現が容易となる色見本を容易に作成することができる。
【図面の簡単な説明】
【００１５】
【図１】本発明の一実施形態による色見本生成システムの構成例を示す概略ブロック図である。
【図２】再現可能色域データベース１６に記憶されている配合インキテーブルの構成例を示す図である。
【図３】耐性データの一例としてオフセットインキ及びグラビアインキにおける耐性特性の種類とその耐性の説明が示されている。
【図４】パラメータデータベース１７に予め書き込まれて記憶されている下地素材テーブルの構成を示している。
【図５】パラメータデータベース１７に予め書き込まれて記憶されているベースインキテーブルの構成を示している。
【図６】配合比率変更部１２による配合インキのベースインキの配合量の変更を示す変更テーブルの一例を示す図である。
【図７】配合インキにおけるベースインキ各々の配合量の変更処理を説明する図である。
【図８】配合インキにおけるベースインキ各々の配合量の変更処理を説明する図である。
【図９】パターン１＿１によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図１０】色彩出力部１４により表示部１５に表示される、色選択者に選択された色とこの色の周辺色を示す色見本の色彩値の配置例を示す図である。
【図１１】配合比率変更部１２による配合インキのベースインキの配合量の変更を示す変更テーブルの一例を示す図である。
【図１２】パターン１＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図１３】色彩出力部１４により表示部１５に表示される、色選択者に選択された色とこの色の周辺色を示す色見本の色彩値の配置例を示す図である。
【図１４】配合比率変更部１２による配合インキのベースインキの配合量の変更を示す変更テーブルの一例を示す図である。
【図１５】パターン１＿３によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図１６】色彩出力部１４により表示部１５に表示される、色選択者に選択された色とこの色の周辺色を示す色見本の色彩値の配置例を示す図である。
【図１７】配合比率変更部１２による配合インキのベースインキの配合量の変更を示す変更テーブルの一例を示す図である。
【図１８】パターン１＿４によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図１９】色彩出力部１４により表示部１５に表示される、色選択者に選択された色とこの色の周辺色を示す色見本の色彩値の配置例を示す図である。
【図２０】配合比率変更部１２による配合インキのベースインキの配合量の変更を示す変更テーブルの一例を示す図である。
【図２１】パターン２＿１によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図２２】色彩出力部１４により表示部１５に表示される、色選択者に選択された色とこの色の周辺色を示す色見本の色彩値の配置例を示す図である。
【図２３】配合比率変更部１２による配合インキのベースインキの配合量の変更を示す変更テーブルの一例を示す図である。
【図２４】パターン２＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図２５】色彩出力部１４により表示部１５に表示される、色選択者に選択された色とこの色の周辺色を示す色見本の色彩値の配置例を示す図である。
【図２６】配合比率変更部１２による配合インキのベースインキの配合量の変更を示す変更テーブルの一例を示す図である。
【図２７】本実施形態において用いられているベースインキの色相環の一例を示す図である。
【図２８】パターン２＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図２９】色彩出力部１４により表示部１５に表示される、色選択者に選択された色とこの色の周辺色を示す色見本の色彩値の配置例を示す図である。
【図３０】配合比率変更部１２による配合インキのベースインキの配合量の変更を示す変更テーブルの一例を示す図である。
【図３１】パターン２＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図３２】色彩出力部１４により表示部１５に表示される、色選択者に選択された色とこの色の周辺色を示す色見本の色彩値の配置例を示す図である。
【図３３】配合比率変更部１２による配合インキのベースインキの配合量の変更を示す変更テーブルの一例を示す図である。
【図３４】パターン２＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図３５】色彩出力部１４により表示部１５に表示される、色選択者に選択された色とこの色の周辺色を示す色見本の色彩値の配置例を示す図である。
【図３６】配合比率変更部１２による配合インキのベースインキの配合量の変更を示す変更テーブルの一例を示す図である。
【図３７】パターン２＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
【図３８】色彩出力部１４により表示部１５に表示される、色選択者に選択された色とこの色の周辺色を示す色見本の色彩値の配置例を示す図である。
【図３９】標準配合の配合インキの色彩値を標準配合の点から周辺色の領域へと広げる処理を説明する図である。
【図４０】この発明の一実施形態による色域データベース作成システム１の構成例を示す概略ブロック図である。
【図４１】素材データベース２０に予め書き込まれて記憶されている下地素材テーブルの構成を示している。
【図４２】ベースインキデータベース１９に予め書き込まれて記憶されているベースインキテーブルの構成例を示している。
【図４３】一例としてオフセットインキ及びグラビアインキにおける耐性特性の種類とその耐性の説明が示されている。
【図４４】配合インキの配合情報が記載されている配合インキテーブルの構成例を示す図である。
【図４５】初期配合した配合インキ各々のＬ＊ａ＊ｂ＊値をＬ＊ａ＊ｂ＊色空間の各座標にプロットした図である。
【図４６】本実施形態による色域データベース作成システム１の配合インキテーブルの作成における動作を示すフローチャートである。
【図４７】Ｌ＊ａ＊ｂ＊空間補完部１７が行うＬ＊ａ＊ｂ＊値の離散化を説明する図である。
【図４８】計算対象の配合計算対象Ｌ＊ａ＊ｂ＊群に含まれる離散化Ｌ＊ａ＊ｂ＊値の設定を説明する図である。
【図４９】配合計算対象外Ｌ＊ａ＊ｂ＊群に含まれる離散化Ｌ＊ａ＊ｂ＊値の配合比率を算出する処理を説明する図である。
【発明を実施するための形態】
【００１６】
以下、図面を参照して、本発明の実施の形態による色見本生成システムについて説明する。図１は、本発明の一実施形態による色見本生成システムの構成例を示す概略ブロック図である。
図１において、色見本生成システム１０は、配合比率抽出部１１、配合比率変更部１２、座標値算出部１３、色彩出力部１４、表示部１５、再現可能色域データベース１６、パラメータデータベース１７及び色見本データベース１８の各々を備えている。
【００１７】
図２は、再現可能色域データベース１６に記憶されている配合インキテーブルの構成例を示す図である。図２（ａ）は、配合インキテーブルの全体構成を示す概念図である。
配合インキテーブルには、ベースインキを配合して作成される配合インキに関する各種情報が示されている。以下、この各種情報について説明する。
配合インキ識別情報は、配合された配合インキを識別するための情報である。下地素材識別情報は、配合インキが彩色されている下地の素材（以下、下地素材）を識別するための情報である。分光反射率は、配合インキ識別情報の示す配合インキを下地素材に彩色した際の分光反射率（再現色彩値に対応する分光反射率）を示している。
【００１８】
色番号は、この配合インキ識別情報の示す配合インキの色を示す番号、例えばインキ会社の製造する配合色に付加されるカラーコードである。Ｌ＊ａ＊ｂ＊値（Ｌ＊ａ＊ｂ＊）は、ベースインキの配合色の分光反射率と、等色関数と、下地素材識別情報の示す下地素材の分光反射率と、照明の光源の分光特性とから求めた、Ｌ＊ａ＊ｂ＊空間における座標値（色彩値：再現される色彩値である再現色彩値）である。測定装置情報は、配合色を配合するために用いたベースインキの光学濃度を求める際に用いた分光反射率を測定した測定装置を識別するための製造会社、製品名及び製品番号などを含む情報である。
ベースインキ情報は、配合インキ識別情報の示す配合色を配合するベースインキの情報である。
属性データは、配合インキの配合に用いたベースインキの価格帯、入手可能地域、その地域の耐性データ入手可能地域及び化学物質法規制への対応情報を含む、透明度、耐性データなどが含まれる。
【００１９】
ここで、分光反射率の測定に用いた装置構成は、例えばミノルタ製の分光光度計（ＣＭ−２６００ｄ）を用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）である。測定条件は、測定された分光反射率と共に、測定機名称や測定条件を記憶する。
【００２０】
図２（ｂ）は、図２（ａ）におけるベースインキ情報の詳細な構成を示す図である。この図２（ｂ）において、ベースインキ情報は、配合インキの配合に用いられたベースインキ各々のベースインキ識別情報と、配合インキにおける配合比率と、図示はされていないが、それぞれの希釈率（メジュームなどで希釈）及びベースインキの上記希釈率での希釈後の分光反射率などで構成されている。
【００２１】
図３は、耐性データの一例としてオフセットインキ及びグラビアインキにおける耐性特性の種類とその耐性の説明が示されている。この耐性データは、それぞれの用途に対して用いられるために必要な特性、例えば図３のテーブルに示す耐光性、耐アルカリ性、耐溶剤性、耐水性、耐酸性、耐ボイル性、耐レトルト性などである。
この図３において、耐光性は、蛍光灯や太陽光に含まれる紫外線による色褪せの程度に対する耐性の評価を示している。また、耐アルカリ性は、アルカリ性を有する環境による色褪せ及び変色に対する耐性の評価を示している。耐溶剤性は、付着した溶剤による色褪せ及び変色に対する耐性の評価を示している。耐水性は、付着した水による色褪せ及び変色に対する耐性の評価を示している。耐酸性は、付着した酸性を有する液体による色褪せ及び変色に対する耐性の評価を示している。耐ボイル性は、加熱された際の温度による色褪せ及び変色に対する耐性の評価を示している。耐レトルト性は、内容物の殺菌や加熱加工時された際の温度による色褪せ及び変色に対する耐性の評価を示している。ここでの評価は、実験によって求めた複数段階の耐性の強度を示す評価値となっている。
【００２２】
図４は、パラメータデータベース１７に予め書き込まれて記憶されている下地素材テーブルの構成を示している。この図４において、下地素材テーブルには、図２における下地素材識別情報と、この下地素材識別情報の示す下地素材（原反）の素材名称と、この下地素材の分光反射率とが対応して記憶されている。素材名称としては、例えば、コート紙やアルミ（アルミニウム）などの彩色する下地の素材の名称がある。この分光反射率は、下地素材を識別する下地素材識別情報と、この下地素材識別情報が示す素材の名称である素材名称と、この素材の分光反射率のデータとが組みとして構成されている。分光反射率は３８０ｎｍから７８０ｎｍまで、１０ｎｍ刻みで記憶されている。また、このパラメータデータベース２１には、等色関数が記憶されている。
【００２３】
ここで、分光反射率は、例えばミノルタ製の分光光度計（ＣＭ−２６００ｄ）を用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）である。これらの測定条件は、測定された分光反射率と共に、測定機名称や測定条件を記憶する。
【００２４】
図５は、パラメータデータベース１７に予め書き込まれて記憶されているベースインキテーブルの構成を示している。この図５において、ベースインキテーブルは、例えば、ベースインキを識別するベースインキ識別情報と、このベースインキ識別情報が示すベースインキの種類と、このインキベースの色を示す色名称と、このベースインキの色材濃度と光学濃度（分光反射率から以下の（１）式により算出される数値）のデータ（後述する波長λ毎）と、印刷可能な下地素材の名称である下地対応情報と、単位当たりの価格と、ベースインキの透明度と、ベースインキの耐性特性の評価値を示す耐性データと、このベースインキを入手及び使用可能な地域を表す入手可能地域や、その地域の化学物質法規制への対応情報などと、分光反射率を測定した測定装置情報と、分光反射率を測定する際の測定条件として照明の種類とが組みとして構成されている。このうち、属性データとしては、透明度、価格、耐性データなどである。
【００２５】
【数１】
0005707544.tif 000002
【００２６】
上記（１）式において、Ｎが光学濃度であり、Ｒが分光反射率であり、ｘが任意の係数である。
【００２７】
また、ここで、ベースインキの種類としては、油性オフセットインキ、ＵＶ（紫外線）硬化型インキ、グラビアインキ、フレキソインキ、シルクスクリーン印刷インキ及び金属インキなどである。色名称としては、例えば、赤色、黄色、青色、緑色、橙色などである。また、下地対応情報とは、印刷可能な下地素材の名称が記載され、全部とされているときは全ての下地素材に対応可能であることを示している。価格は所定の単位毎、例えば１ｋｇ（キログラム）毎の標準販売価格が記載されている。
【００２８】
また、ベースインキ−ブルには、波長毎の光学濃度が予め書き込まれて記憶されている。この光学濃度を算出する際に用いる分光反射率は、例えばミノルタ製の分光光度計ＣＭ−２６００ｄを用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）の測定条件で測定されている。これらの測定条件は、測定された分光反射率と共に、測定機名称や測定条件を記憶する。また記憶している色彩値であるＬ＊ａ＊ｂ＊値は、例えばＤ５０／２度視野による計算値とし、その計算方法はＪＩＳ  Ｚ８７２９にある方法を使用する。
【００２９】
測定装置情報は、分光反射率を測定したメーカー、製品名及び型番に加えてフィルタ有無や鏡面反射成分の有無などの測定条件などが記載されている。分光反射率の測定条件は、例えばミノルタ製の分光光度計  ＣＭ−２６００ｄを用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）である。これらの測定条件は、光学濃度を求めるために測定された分光反射率及び分光反射率を測定した測定機名称とともに、ベースインキデータベース１９のベースインキテーブルに書き込んで記憶させる。この測定条件については下地素材の分光反射率の場合と同様である。また、透明度は、そのベースインキの展色物（例えば、顔料を均等に分散・付着させる媒体である展色材）を評価する事によって求められ、例えば０−５の数値に置き換えられる。また、色彩値であるＬ＊ａ＊ｂ＊値は、例えばＤ５０／２度視野による計算値とし、その計算方法はＪＩＳ  Ｚ８７２９にある方法を使用する。
【００３０】
図１に戻り、配合比率抽出部１１は、色決定者が選択した色見本の色彩値のデータ、色彩値のデータ、例えばＲＧＢ（Ｒｅｄ、Ｇｒｅｅｎ、Ｂｌｕｅ）、ＣＭＹＫ（Ｃｙａｎ、Ｍａｇｅｎｔａ、Ｙｅｌｌｏｗ、Ｂｌａｃｋ）、Ｌ＊ａ＊ｂ＊値（Ｌ＊ａ＊ｂ＊色空間における座標値）、マンセル（Ｍｕｎｓｅｌｌ）値、カラーナンバー（Ｃｏｌｏｒ  Ｎｏ．）の各々の入力欄を、表示部１５に表示する。カラーナンバーは、配合インキの製造会社毎に異なるため、絞り込みにより会社を指定する必要がある。
【００３１】
また、配合比率抽出部１１は、配合インキの選択を行う際の絞り込みを行う耐性データの種類と評価値とを入力するための入力欄を表示部１５に表示させる。
また、配合比率抽出部１１は、配合インキを彩色する下地素材（原反）の選択を行うための入力欄を表示部１５に表示させる。下地素材としては、スクリーン紙、アルミ（アルミニウム）、プラスチック、ビニール、セラミックなどがある。
【００３２】
また、配合比率抽出部１１は、彩色する下地素材に用いるベースインキの種類の選択を行うための入力欄を表示部１５に表示させる。ベースインキの種類は、ＵＶ（紫外線）硬化型インキ、オフセットインキ、グラビアインキ、フレキソインキ、シルクスクリーン印刷インキ及び金属インキなどである。
また、配合比率抽出部１１は、再現可能色域データベース１６の配合インキデータテーブルを参照し、耐性データ、下地素材及びベースインキの種類に対応した配合インキから、決定者が選択した色彩値のデータ（Ｌ＊ａ＊ｂ＊値）の配合インキを抽出する。
【００３３】
配合比率変更部１２は、配合比率抽出部１１が抽出したＬ＊ａ＊ｂ＊値の配合インキにおけるベースインキの種類とそのベースインキの配合比率とを、再現可能色域データベース１６に記憶されている配合インキテーブルから読み出す。
また、配合比率変更部１２は、読み出した各ベースインキの配合比率を、予め設定された割合で変更する。
【００３４】
図６は、配合比率変更部１２による配合インキのベースインキの配合量の変更を示す変更テーブルの一例を示す図である。
この図６において、ある配合インキは、ベースインキのＦＧ８５墨、ＦＧ４５透明黄、ＦＧ１４紅と、メジュームとが配合されている。この配合インキにおける各ベースインキの配合比率に対応したベースインキの配合量は、基準配合に示されているように、総配合量１００ｇ（グラム）として、ＦＧ８５墨が２％の２ｇであり、ＦＧ４５透明黄が２０％の２０ｇであり、ＦＧ１４紅が３８％の３８ｇであり、メジュームが４０％の４０ｇである。また、各ベースインキの配合量の変更の割合（変更割合）は、たとえば２０％単位の変更として設定されている。たとえば、ＦＧ８５墨の配合量は、基準配合の配合比率の２％の２ｇに対して、０．４を乗じた０．８ｇから、１．６を乗じた３．２ｇまでの配合量としてのそれぞれの配合インキにおける各ベースインキの変更配合比率を生成する。
【００３５】
このＦＧ８５墨の配合比率を変更した際、他のＦＧ４５透明黄、ＦＧ１４紅及びメジュームの配合比率は、配合インキの単位重量（配合総量）におけるＦＧ８５墨の配合量の変更に伴い、以下のように変更される。
ＦＧ８５墨の配合量を変更した変更配合比率を求める際、ＦＧ８５墨、ＦＧ４５透明黄、ＦＧ１４紅、メジュームの各々の基準の総合配合量をＧ１とし、各々の配合比率をｃ１、ｃ２、ｃ３、ｃ４とし、例えば、ＦＧ８５墨の配合量の変更割合をαとし、ＦＧ８５墨の配合量を変化させた後の、ＦＧ８５墨、ＦＧ４５透明黄、ＦＧ１４紅、メジュームの各々の配合比率をｃ１’、ｃ２’、ｃ３’、ｃ４’は以下の（２）式により、配合比率変更部１２によって求められる。すなわち、各ベースインキの配合量を予め設定された割合で変更することにより、配合総量が変化するため、変更された総配合量によって、各ベースインキの配合量を除算し、ベースインキ各々の変更配合比率を算出することになる。
【００３６】
【数２】
0005707544.tif 000003
【００３７】
上記（２）式において、係数α１、α２、α３及びα４の各々は、それぞれ基準の配合量ｃ１Ｇ１、ｃ２Ｇ１、ｃ３Ｇ１、ｃ４Ｇ１の配合量を変化する変更割合を示している。
【００３８】
図７及び図８は、配合インキにおけるベースインキ各々の配合量の変更処理を説明する図である。
図７は、カラー１のＦＧ８５墨とカラー２のＦＧ４５との配合量を変更した際におけるそれぞれのベースインキの変更配合比率の変更を示している。図７において、カラー１及びカラー２については、２０％の比率によりそれぞれ配合量が変更され、一方、カラー３及びカラー４の配合量は基準配合のまま変化させない。例えば、配合比率変更部１２は、カラー１を０．８ｇ、１．２ｇ、１．６ｇ、２ｇ、２．４ｇ、２．８ｇ、３．２ｇと変化させ、カラー２を８ｇ、１２ｇ、１６ｇ、２０ｇ、２４ｇ、２８ｇ、３２ｇと変化させる。このとき、カラー２が８ｇのとき、カラー１を０．８ｇから３．２ｇまで変化させる組、カラー２が１２ｇのとき、カラー１を０．８ｇから３．２ｇまで変化させる組、…を順次作成することで、カラー１及びカラー２の配合量を変更させた４９種類（基準配合を含めて）の組合わせが生成される。ここで、カラー１及びカラー２の配合量がテーブルの列ごとに変更されている。このため、配合比率変更部１２は、カラー１及びカラー２の変更した配合量に対し、カラー３及びカラー４の基準配合の配合量を加算し、変更した後の配合インキの総合配合量を求め、各ベースインキの配合量をこの総合配合量により除算することにより、ベースインキそれぞれの変更配合比率を算出している。
【００３９】
図８は、カラー３のＦＧ１４紅とカラー４のメジュームとの配合量を変更した際におけるそれぞれのベースインキの変更配合比率の変更を示している。図８において、カラー３及びカラー４については、２０％の比率によりそれぞれ配合量が変更され、一方、カラー１及びカラー２の配合量は基準配合のまま変化させない。例えば、配合比率変更部１２は、カラー３を１５．２ｇ、２２．８ｇ、３０．４ｇ、３８ｇ、４５．６ｇ、５３．２ｇ、６０．８０ｇと変化させ、カラー４（メジューム）を１６．０ｇ、２４．０ｇ、３２．０ｇ、４０．０ｇ、４８．０ｇ、５６．０ｇ、６４．０ｇと変化させる。このとき、カラー４が１６．０ｇのとき、カラー３を１５．２０ｇから６０．８０ｇまで変化させる組、カラー４が２４ｇのとき、カラー３を１５．２ｇから６０．８ｇまで変化させる組、…を順次作成することで、カラー３及びカラー４の配合量を変更させた４９種類（基準配合を含めて）の組合わせが生成される。このため、配合比率変更部１２は、カラー３及びカラー４（メジューム）の変更した配合量に対し、カラー１及びカラー２の基準配合の配合量を加算し、変更した後の配合インキの総合配合量を求め、各ベースインキの配合量をこの総合配合量により除算することによりベースインキそれぞれの変更配合比率を算出している。
【００４０】
図１に戻り、配合比率変更部１２は、変更テーブルに示されるように、それぞれ４種類のベースインキ（ＦＧ８５墨、ＦＧ４５透明黄、ＦＧ１４紅、メジューム）に対し、基準配合を含めてそれぞれ７種類の配合割合の変更を行い、上記（２）式に基づいて、上述した図７及び図８に示すように、（７×７）×２＝４９×２＝９８通りの配合量の組み合わせ（基準配合の色の周辺色）を生成する。
【００４１】
座標値算出部１３は、配合比率変更部１２の算出した変更配合比率のすべての組み合わせの配合インキの分光反射率及びＬ＊ａ＊ｂ＊値（Ｌ＊ａ＊ｂ＊色空間における座標値、すなわち色彩値）の算出を、変更配合率の組合わせ（ベースインキ各々の配合量を変更した配合インキ）毎に行う。ここで、座標値算出部１３は、配合インキの分光反射率を以下に示す（３）式及び上述した（１）により、配合したベースインキの各々の配合比率ｃｉ及び光学濃度Ｎｉ（λ）とから、配合して得られた配合インキを下地素材に彩色した際の光学濃度Ｎｃ（λ）を算出して求める。ここで、ｉは配合するベースインキの数である。
光学濃度は、例えば、波長λが３８０ｎｍから７８０ｎｍまで、１０ｎｍ刻みでパラメータデータベース１７に記憶されている。分光反射率計算部１５は、上記光学濃度と同様に、例えば波長λが３８０ｎｍから７８０ｎｍまで、１０ｎｍ刻みで配合インキの分光反射率を算出する。
【００４２】
【数３】
0005707544.tif 000004
【００４３】
上記（３）式において、Ｎｃは配合した配合インキを下地素材に彩色した際の光学濃度であり、Ｎｉは配合したベースインキの光学濃度であり、ｃｉ（たとえば上記ｃ１，ｃ２，ｃ３）は配合比率である。ｉは、配合するベースインキの種類の数である。また、分光反射率計算部１５は、下地素材の光学濃度Ｎｗを、下地素材テーブルから下地素材の分光反射率を読み出し、（１）式に代入して求める。
【００４４】
また、座標値算出部１３は、配合した配合インキを下地素材に彩色した際の分光反射率Ｒ（λ）ｃｏｍｐを、以下の（４）式を用いて算出する。
【００４５】
【数４】
0005707544.tif 000005
【００４６】
この（４）式において、Ｎは配合した配合インキの光学濃度（算出したＮｃ）であり、ｘは任意の係数である。
座標値算出部１３は、算出した配合インキの分光反射率Ｒ（λ）ｃｏｍｐと、等色関数と、照明の分光反射強度とから、予め設定された一般的な分光反射率からの変換を行う変換式を用いて、配合比率の組み合わせの各配合インキのＬ＊ａ＊ｂ＊値（下地素材に彩色された際の色彩値）の算出を行う。
座標値算出部１３は、配合比率変更部１２の算出した変更配合比率の組み合わせ毎に、各ベースインキの変更配合比率と、この変更配合比率の配合インキのＬ＊ａ＊ｂ＊値とを対応づけ、色見本データベース１８に対して書き込んで記憶させる。
【００４７】
図９は、パターン１＿１によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
この図９は、図６に示すテーブルにおいて、カラー３（ＦＧ１４紅）及びメジュームを基準の配合量で固定し、カラー１（ＦＧ８５墨）とカラー２（ＦＧ４５透明黄）との配合量を変化させた１ページ目の色彩値と、カラー１及びカラー２を基準の配合量で固定し、カラー３とメジュームとの配合量を変化させた２ページ目の色彩値が示されている。
ここで、図７及び図８の各々に示されるように、配合比率変更部１２は、カラー１及びカラー２と、カラー３及びカラー４（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【００４８】
ここで、座標値算出部１３は、配合比率変更部１２の算出した変更配合比率のすべての組み合わせの配合インキの分光反射率及びＬ＊ａ＊ｂ＊値（Ｌ＊ａ＊ｂ＊色空間における座標値、すなわち色彩値）の算出を行う。そして、座標値算出部１３は、パターン１＿１の組み合わせに対応させて、配合量の組み合わせ毎に、各ベースインキの配合量（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【００４９】
図１に戻り、色彩出力部１４は、色見本データベース１８から配合比率（変更配合比率）の組み合わせを、表示部１５に対して表示させる。
このとき、色彩出力部１４は、表示部１５において基準照明の彩色結果の再現色を表示するため、表示する配合インキの基準光源下におけるＬ＊ａ＊ｂ＊値から、画面に表示するＲＧＢへの変換を行う。色彩出力部１４は、基準光源下におけるＬ＊ａ＊ｂ＊値から表示部１５に表示する色彩値へ変換する際に用いる変換式を、パラメータデータベース１７から読み出す。また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【００５０】
図１０は、色彩出力部１４により表示部１５に表示される、色選択者に選択された色とこの色の周辺色を示す色見本の色彩値の配置例を示す図である。この図１０は、図６の変更テーブルに基づいて生成した配合量の組み合わせの各々のＬ＊ａ＊ｂ＊値の表示画像を示している。
この図１０において、表示部１５に表示される画像おいて中央の四角で囲まれた領域の色彩値が元々の色決定者が選択した色彩値であり、この標準配合の色彩値の色の周辺色として、配合量を変更した変更配合比率の組み合わせの色彩値が表示される。
【００５１】
図１０（ａ）は、図６のテーブルに示すように、配合インキを配合するベースインキのカラー１（ＦＧ８５墨）とカラー２（ＦＧ４５透明黄）との各々の配合量を２０パーセントずつ変更して、配合インキのベースインキ各々の配合量を変更した際の色彩値の変化を示している。この図１０（ａ）においては、縦軸がカラー１の配合量を示し、上部から下部に向かって配合量が多くなり、横軸がカラー２の配合比率を示し、左から右に向かって配合量が多くなっている。また、図１０（ａ）においては、カラー３（ＦＧ１４紅）とメジュームとの配合量は基準配合のまま固定されている。
【００５２】
図１０（ｂ）は、図６のテーブルに示すように、配合インキを配合するベースインキのカラー３（ＦＧ１４紅）とメジュームとの各々の配合量を２０パーセントずつ変更して、配合インキのベースインキ各々の配合量を変更した際の色彩値の変化を示している。この図１０（ｂ）においては、縦軸がカラー３の配合量を示し、上部から下部に向かって配合量が多くなり、横軸がメジュームの配合量を示し、左から右に向かって配合量が多くなっている。また、図１０（ｂ）においては、カラー１（ＦＧ８５墨）とカラー２（ＦＧ４５透明黄）との配合量は基準配合のまま固定されている。
【００５３】
また、本実施形態においては、ベースインキの配合量と、このベースインキの種類とにより、ベースインキの配合量の変更割合が決められた変更ルールがあり、以下に、この変更ルールについて説明する。
すでに説明した図６における配合比率の変更ルールは、パターン１＿１に対応したものである。このパターン１＿１は、配合インキを配合するベースインキにＦＧ８５墨およびメジュームが含まれ、かつ配合インキを構成するベースインキの配合量のいずれもが配合量の最小量である０．５ｇ未満でない場合における配合量の変更ルールを示す。配合されたベースインキの各々が色彩値に大きく影響しており、色を濁らせるＦＧ８５墨と色を薄くするメジュームが配合されている場合に適用される。また、本実施形態におけるパターンの各々のルールは、パラメータデータベース１７に追加ベースインキテーブルとして予め書き込まれて記憶されている。配合比率変更部１２は、パターン毎のルールをパラメータデータベース１７における追加ベースインキテーブルを参照し、参照したルールに従い、配合インキにおけるベースインキ（ＦＧ８５墨及びメジュームを含む）の配合量の調整を行う。
【００５４】
図１１は、配合比率変更部１２による配合インキのベースインキの配合量の変更を示す変更テーブルの一例を示す図である。この図１１はパターン１＿２の配合量の変更ルールに対応している。このパターン１＿２は、配合インキを配合するベースインキにＦＧ８５墨およびメジュームが含まれ、かつ配合インキを構成するベースインキの配合量のいずれかが配合量の最小量である０．５ｇ未満である場合における配合量の変更ルールを示す。
配合されたベースインキのいずれかが０．５ｇ未満であり色彩値に影響し難くく、色を濁らせるＦＧ８５墨と色を薄くするメジュームが配合されている場合に適用される。ここで、配合比率変更部１２は、配合比率抽出部１１が抽出したＬ＊ａ＊ｂ＊値の配合インキにおけるベースインキの種類とそのベースインキの配合量とを、再現可能色域データベース１６に記憶されている配合インキテーブルから読み出し、色決定者が決定した色彩値の配合インキにおけるベースインキのデータを検出する。
【００５５】
この図１１の場合、配合比率変更部１２は、配合量が最小であるベースインキ、すなわちＦＧ８５墨を抽出する。そして、配合比率変更部１２は、パターン１＿２のルールとして配合比率の固定変動量が予め設定されており、すなわち、ＦＧ８５墨の配合量を固定変動量として０％の０ｇから０．１ｇずつ増加させて０．６％の０．６ｇまでの７通りとし、配合インキにおけるＦＧ８５墨の配合量の調整を行う。このとき、配合比率変更部１２は、他の配合量が０．５ｇ以上のベースインキの配合比率に対しては、パターン１＿１と同様に、ベースインキの配合量を基準配合に対して２０％ずつ変更する。配合比率変更部１２は、すでに説明したように、（２）式を用いて、ベースインキであるＦＧ８５墨、ＦＧ４５透明黄、ＦＧ１４紅及びメジュームの変更した配合量の組み合わせを生成する。
【００５６】
図１２は、パターン１＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。この図１２は、すでに説明した図９と同様に、図１１に示すテーブルにおいて、カラー３（ＦＧ１４紅）及びメジュームを基準の配合比率で固定し、カラー１（ＦＧ８５墨）とカラー２（ＦＧ４５透明黄）との配合比率を変化させた１ページ目の色彩値と、カラー１及びカラー２を基準の配合比率で固定し、カラー３とメジュームとの配合比率を変化させた２ページ目の色彩値が示されている。
ここで、図７及び図８の各々に示されるように、配合比率変更部１２は、カラー１及びカラー２と、カラー３及びカラー４（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【００５７】
ここで、座標値算出部１３は、パターン１＿２の場合もパターン１＿１の場合と同様に、配合比率変更部１２の算出した変更配合比率のすべての組み合わせの配合インキの分光反射率及びＬ＊ａ＊ｂ＊値（Ｌ＊ａ＊ｂ＊色空間における座標値、すなわち色彩値）の算出を行う。そして、座標値算出部１３は、パターン１＿２の組み合わせに対応させて、配合量の組み合わせ毎に、各ベースインキの配合量（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【００５８】
図１３は、色彩出力部１４により表示部１５に表示される、色選択者に選択された色とこの色の周辺色を示す色見本の色彩値の配置例を示す図である。この図１３は、パターン１＿２による図１１の変更テーブルに基づいて生成した配合量の組み合わせの各々のＬ＊ａ＊ｂ＊値の表示画像を示している。
この図１３において、表示部１５に表示される画像おいて中央の四角で囲まれた領域の色彩値が元々の色決定者が選択した色彩値であり、この標準配合の色彩値の色の周辺色として、配合量を変更した配合量の組み合わせの色彩値が表示される。
【００５９】
図１３（ａ）は、図１１のテーブルに示すように、配合インキを配合するベースインキのカラー１（ＦＧ８５墨）を固定変動量によって配合量の調整を行い、カラー２（Ｆ４５透明黄）の配合量を２０パーセントずつ変更して、配合インキのベースインキ各々の配合量を変更した際の色彩値の変化を示している。この図１３（ａ）においては、縦軸がカラー１の配合量を示し、上部から下部に向かって配合量が多くなり、横軸がカラー２の配合量を示し、左から右に向かって配合量が多くなっている。また、図１３（ａ）においては、カラー３（ＦＧ１４紅）とメジュームとの配合量は基準配合のまま固定されている。
【００６０】
図１３（ｂ）は、図１１のテーブルに示すように、配合インキを配合するベースインキのカラー３（ＦＧ１４紅）とメジュームとの各々の配合量を２０パーセントずつ変更して、配合インキのベースインキ各々の配合量を変更した際の色彩値の変化を示している。
この図１０（ｂ）においては、縦軸がカラー３の配合量を示し、上部から下部に向かって配合比率が多くなり、横軸がメジュームの配合量を示し、左から右に向かって配合量が多くなっている。また、図１３（ｂ）においては、カラー１（ＦＧ８５墨）とカラー２（ＦＧ４５透明黄）との配合量は基準配合のまま固定されている。
【００６１】
図１４は、配合比率変更部１２による配合インキのベースインキの配合量の変更を示す変更テーブルの一例を示す図である。この図１４はパターン１＿３の配合量の変更ルールに対応している。このパターン１＿３は、配合インキを配合するベースインキにＦＧ８５墨およびメジュームが含まれ、かつ配合インキを構成するベースインキの配合量のいずれかが配合量の最小量である０．５ｇ未満である場合における配合量の変更ルールを示す。
配合されたベースインキのいずれかが配合量の最小量である０．５ｇ未満であり色彩値に対する影響が低く、色を濁らせるＦＧ８５墨と色を薄くするメジュームが配合されている場合に適用される。
【００６２】
この図１４の場合、配合比率変更部１２は、配合量が最小であるベースインキ、すなわちＦＧ１４紅を抽出する。そして、配合比率変更部１２は、パターン１＿３のルールとして配合比率の固定変動量が予め設定されており、すなわち、ＦＧ１４紅の配合比率を固定変動量として０ｇから０．１ｇずつ増加させて０．６ｇまでの７通りとし、配合インキにおけるＦＧ１４紅の配合量の調整を行う。このとき、配合比率変更部１２は、他の配合比率が０．５ｇ以上のベースインキの配合比率に対しては、パターン１＿１及び１＿２と同様に、配合比率を基準配合に対して２０％ずつ変更する。配合比率変更部１２は、すでに説明したように、（２）式を用いて、ベースインキであるＦＧ８５墨、ＦＧ４５透明黄、ＦＧ１４紅及びメジュームの変更配合比率の組み合わせを生成する。
【００６３】
図１５は、パターン１＿３によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。この図１５は、図１４に示すテーブルにおいて、カラー３（ＦＧ４５透明黄）及びメジュームを基準の配合量で固定し、カラー１（ＦＧ１４紅）とカラー２（ＦＧ８５墨）との配合量を変化させた１ページ目の色彩値と、カラー１及びカラー２を基準の配合量で固定し、カラー３とメジュームとの配合量を変化させた２ページ目の色彩値が示されている。
ここで、図７及び図８の各々に示されるように、配合比率変更部１２は、カラー１及びカラー２と、カラー３及びカラー４（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【００６４】
ここで、座標値算出部１３は、パターン１＿３の場合もパターン１＿１及び１＿２の場合と同様に、配合比率変更部１２の算出した変更配合比率のすべての組み合わせ配合インキの分光反射率及びＬ＊ａ＊ｂ＊値（Ｌ＊ａ＊ｂ＊色空間における座標値、すなわち色彩値）の算出を行う。そして、座標値算出部１３は、パターン１＿３の組み合わせに対応させて、配合量の組み合わせ毎に、各ベースインキの配合量（及び変更配合比率）とこの配合比率の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【００６５】
図１６は、色彩出力部１４により表示部１５に表示される、色選択者に選択された色とこの色の周辺色を示す色見本の色彩値の配置例を示す図である。この図１６は、パターン１＿３による図１４の変更テーブルに基づいて生成した配合量の組み合わせの各々のＬ＊ａ＊ｂ＊値の表示画像を示している。
この図１６において、表示部１５に表示される画像おいて中央の四角で囲まれた領域の色彩値が元々の色決定者が選択した色彩値であり、この標準配合の色彩値の色の周辺色として、配合量を変更した配合量の組み合わせの色彩値が表示される。
【００６６】
図１６（ａ）は、図１４のテーブルに示すように、配合インキを配合するベースインキのカラー１（ＦＧ１４紅）を固定変動量によって配合量の調整を行い、カラー２（ＦＧ８５墨）の配合量を２０パーセントずつ変更して、配合インキのベースインキ各々の配合量を変更した際の色彩値の変化を示している。この図１６（ａ）においては、縦軸がカラー１の配合量を示し、上部から下部に向かって配合量が多くなり、横軸がカラー２の配合量を示し、左から右に向かって配合量が多くなっている。また、図１６（ａ）においては、カラー３（ＦＧ４５透明黄）とカラー４（メジューム）との配合量は基準配合のまま固定されている。
【００６７】
図１６（ｂ）は、図１４のテーブルに示すように、配合インキを配合するベースインキのカラー３（ＦＧ４５透明黄）とメジュームとの各々の配合量を２０パーセントずつ変更して、配合インキのベースインキ各々の配合量を変更した際の色彩値の変化を示している。この図１６（ｂ）においては、縦軸がカラー３の配合量を示し、上部から下部に向かって配合量が高くなり、横軸がメジュームの配合量を示し、左から右に向かって配合量が高くなっている。また、図１６（ｂ）においては、カラー１（ＦＧ１４紅）とカラー２（ＦＧ８５墨）との配合量は基準配合のまま固定されている。
【００６８】
図１７は、配合比率変更部１２による配合インキのベースインキの配合量の変更を示す変更テーブルの一例を示す図である。この図１７はパターン１＿４の配合量の変更ルールに対応している。このパターン１＿４は、配合インキを配合するベースインキにＦＧ８５墨が含まれ、一方、メジュームが含まれていない場合における配合量の変更ルールを示す。配合インクを形成するベースインキとして、色を薄くするメジュームが配合されていない場合に適用される。
【００６９】
この図１７の場合、配合比率変更部１２は、配合インキを配合するベースインキの中にメジュームが含まれていないことを検出すると、パターン１＿４のルールに対応した配合量の変更を行う。そして、配合比率変更部１２は、パターン１＿４のルールとして、メジュームが含まれていない場合、新たにメジュームを配合インキを配合するベースインキに加える（新規発生させる）。ここで、配合比率変更部１２は、パターン１＿４のルールにおいて設定されたメジュームの配合量の固定変動量に対応し、すなわち、メジュームの配合量を固定変動量として０ｇから６０ｇまで１０ｇずつ増加させて７通りの割合とし、配合インキにおけるメジュームの配合量の調整を行う。このとき、配合比率変更部１２は、他のカラー１、カラー２及びカラー３のベースインキの配合量に対しては、パターン１＿１及び１＿２と同様に、配合量を基準配合に対して２０％ずつ変更する。配合比率変更部１２は、すでに説明したように、（２）式を用いて、ベースインキであるＦＧ８５、ＦＧ４５透明黄、ＦＧ１４紅及びメジュームの配合量の組み合わせを生成する。
【００７０】
図１８は、パターン１＿４によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。この図１８は、図１７に示すテーブルにおいて、メジュームを新規発生させて配合インキのベースインキとし、ＦＧ５８原色藍と、新たに加えたメジュームとを基準（基準配合）の配合量で固定し、カラー１（ＦＧ８５墨）とカラー２（ＦＧ４５透明黄）との配合比率を変化させた１ページ目の色彩値と、カラー１及びカラー２を基準の配合量で固定し、カラー３とメジュームとの配合量を変化させた２ページ目の色彩値が示されている。
ここで、図７及び図８の各々に示されるように、配合比率変更部１２は、カラー１及びカラー２と、カラー３及びカラー４（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【００７１】
また、座標値算出部１３は、パターン１＿４の場合もパターン１＿１及び１＿２の場合と同様に、配合比率変更部１２の算出した変更配合比率のすべての組み合わせ配合インキの分光反射率及びＬ＊ａ＊ｂ＊値（Ｌ＊ａ＊ｂ＊色空間における座標値、すなわち色彩値）の算出を行う。そして、座標値算出部１３は、パターン１＿４の組み合わせに対応させて、配合量の組み合わせ毎に、各ベースインキの配合量（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【００７２】
図１９は、色彩出力部１４により表示部１５に表示される、色選択者に選択された色とこの色の周辺色を示す色見本の色彩値の配置例を示す図である。この図１９は、パターン１＿４による図１７の変更テーブルに基づいて生成した配合量の組み合わせの各々のＬ＊ａ＊ｂ＊値の表示画像を示している。
この図１９において、表示部１５に表示される画像おいて四角で囲まれた領域の色彩値が元々の色決定者が選択した色彩値であり、この標準配合の色彩値の色の周辺色として、配合量を変更した変更配合比率の配合量の組み合わせの色彩値が表示される。
【００７３】
図１９（ａ）は、図１７のテーブルに示すように、配合インキを配合するベースインキのカラー１（ＦＧ８５墨）と、カラー２（ＦＧ４５透明黄）との各々の配合量を２０パーセントずつ変更して、配合インキのベースインキ各々の配合量を変更した際の色彩値の変化を示している。この図１９（ａ）においては、縦軸がカラー１の配合量を示し、上部から下部に向かって配合量が多くなり、横軸がカラー２の配合量を示し、左から右に向かって配合量が多くなっている。また、図１９（ａ）においては、カラー３（ＦＧ４５透明黄）と新たに加えたメジュームとの配合量は基準配合のまま固定されている。
【００７４】
図１９（ｂ）は、図１７のテーブルに示すように、配合インキを配合するベースインキのカラー３（ＦＧ５８原色藍）と新たに加えたメジュームとの各々の配合量を２０パーセントずつ変更して、配合インキのベースインキ各々の配合量を変更した際の色彩値の変化を示している。この図１９（ｂ）においては、縦軸がカラー３の配合量を示し、上部から下部に向かって配合量が多くなり、横軸がメジュームの配合量を示し、左から右に向かって配合量が多くなっている。また、この図１９（ｂ）において、メジュームは新たに加えられ、基準配合の色としてはメジュームの割合が０であるため、四角で囲まれた標準の色彩値の領域が最もメジュームの最も少ない（割合が０の）領域となっている。また、図１９（ｂ）においては、カラー１（ＦＧ８５墨）とカラー２（ＦＧ４５透明黄）との配合量は基準配合のまま固定されている。
【００７５】
図２０は、配合比率変更部１２による配合インキのベースインキの配合量の変更を示す変更テーブルの一例を示す図である。この図２０はパターン２＿１の配合量の変更ルールに対応している。このパターン２＿１は、配合インキを配合するベースインキにメジュームが含まれ、一方、ベースインキとしてＦＧ８５墨が含まれていない場合における配合量の変更ルールを示す。配合インクを形成するベースインキとして、色を濁らせるＦＧ８５墨が配合されていない場合に適用される。
【００７６】
この図２０の場合、配合比率変更部１２は、配合インキを配合するベースインキの中にメジュームが含まれていないことを検出すると、パターン２＿１のルールに対応した配合量の変更を行う。そして、配合比率変更部１２は、パターン２＿１のルールとして、ＦＧ８５墨が含まれていない場合、新たにＦＧ８５墨を配合インキを配合するベースインキに加える（新規発生させる）。ここで、配合比率変更部１２は、パターン２＿１のルールにおいて設定されたメジュームの配合量の固定変動量に対応し、すなわち、ＦＧ８５墨の配合量を固定変動量として０ｇから０．６ｇまで０．１ｇずつ増加させて７通りの割合とし、配合インキにおけるＦＧ８５墨の配合量の調整を行う。このとき、配合比率変更部１２は、他のカラー２、カラー３及びメジュームのベースインキの配合量に対しては、パターン１＿１及び１＿２と同様に、配合量を基準配合に対して２０％ずつ変更する。配合比率変更部１２は、すでに説明したように、（２）式を用いて、ベースインキであるＦＧ８５墨、ＦＧ１４紅、ＦＧ４５透明黄及びメジュームの配合量の組み合わせを生成する。
【００７７】
図２１は、パターン２＿１によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。この図２１は、図２０に示すテーブルにおいて、ＦＧ８５墨を新規発生させて配合インキのベースインキとし、ＦＧ４５透明黄と、メジュームとを基準の配合量で固定し、カラー１（ＦＧ８５墨）とカラー２（ＦＧ１４紅）との配合量を変化させた１ページ目の色彩値と、カラー１及びカラー２を基準の配合量で固定し、カラー３とメジュームとの配合量を変化させた２ページ目の色彩値が示されている。
ここで、図７及び図８の各々に示されるように、配合比率変更部１２は、カラー１及びカラー２と、カラー３及びカラー４（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【００７８】
また、座標値算出部１３は、パターン２＿１の場合もパターン１＿１及び１＿２の場合と同様に、配合比率変更部１２の算出した変更配合比率のすべての組み合わせ配合インキの分光反射率及びＬ＊ａ＊ｂ＊値（Ｌ＊ａ＊ｂ＊色空間における座標値、すなわち色彩値）の算出を行う。そして、座標値算出部１３は、パターン２＿１の組み合わせに対応させて、配合量の組み合わせ毎に、各ベースインキの配合量（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色決定者に選択された色彩値の色と、この選択された色彩値の周辺色との画像を表示部１５に表示する。
【００７９】
図２２は、色彩出力部１４により表示部１５に表示される、色選択者に選択された色とこの色の周辺色を示す色見本の色彩値の配置例を示す図である。この図２２は、パターン２＿１による図２０の変更テーブルに基づいて生成した配合量の組み合わせの各々のＬ＊ａ＊ｂ＊値の表示画像を示している。
この図２２において、表示部１５に表示される画像おいて四角で囲まれた領域の色彩値が元々の色決定者が選択した色彩値であり、この標準配合の色彩値の色の周辺色として、配合量を変更した変更配合比率の配合量の組み合わせの色彩値が表示される。
【００８０】
図２２（ａ）は、図２０のテーブルに示すように、配合インキを配合するベースインキにおいて、新たに加えたカラー１（ＦＧ８５墨）の配合量を、予めパターン２＿１のルールに設定されているように、０ｇから０．６ｇまで０．１ｇずつ増加させる。一方、カラー２（ＦＧ１４紅）の配合量を２０パーセントずつ変更して、配合インキのベースインキ各々の配合量を変更した際の色彩値の変化を示している。この図２２（ａ）においては、縦軸がカラー１の配合量を示し、上部から下部に向かって配合量が多くなり、横軸がカラー２の配合量を示し、左から右に向かって配合量が多くなっている。この図２２（ａ）において、ＦＧ８５墨は新たに加えられ、基準配合の色としてはＦＧ８５墨の割合が０であるため、四角で囲まれた標準の色彩値の領域が最もＦＧ８５墨の最も少ない（割合が０の）領域となっている。また、図２２（ａ）においては、カラー３（ＦＧ４５透明黄）とメジュームとの配合量は基準配合のまま固定されている。
【００８１】
図２２（ｂ）は、図２０のテーブルに示すように、配合インキを配合するベースインキのカラー３（ＦＧ５８原色藍）とメジュームとの各々の配合量を２０パーセントずつ変更して、配合インキのベースインキ各々の配合量を変更した際の色彩値の変化を示している。この図２２（ｂ）においては、縦軸がカラー３の配合量を示し、上部から下部に向かって配合量が高くなり、横軸がメジュームの配合比率量示し、左から右に向かって配合量が高くなっている。また、図２２（ｂ）においては、カラー１（ＦＧ８５墨）とカラー２（ＦＧ４５透明黄）との配合量は基準配合のまま固定されている。
【００８２】
図２３は、配合比率変更部１２による配合インキのベースインキの配合量の変更を示す変更テーブルの一例を示す図である。この図２３はパターン２＿２の配合量の変更ルールに対応している。このパターン２＿２は、配合インキを配合するベースインキにＦＧ８５墨及びメジュームの双方が含まれていない場合における配合量の変更ルールを示す。すなわち配合インクを形成するベースインキとして、色を薄くするメジュームと色を濁らせるＦＧ８５墨とが、色決定者に選択された色彩値に配合されていない場合に適用される。
【００８３】
この図２３の場合、配合比率変更部１２は、配合インキを配合するベースインキの中にＦ８５墨及びメジュームの双方が含まれていないことを検出すると、パターン２＿２のルールに対応した配合量の変更を行う。そして、配合比率変更部１２は、パターン２＿２のルールとして、ＦＧ８５墨及びメジュームの双方が含まれていない場合、新たにＦＧ８５墨とメジュームとの各々を配合インキを配合するベースインキに加える（新規発生させる）。ここで、配合比率変更部１２は、パターン２＿２のルールにおいて設定されたＦＧ８５墨及びメジュームの各々の配合量の固定変動量に対応させて、配合インキにおけるＦＧ８５墨及びメジュームの各々の配合量を設定する。
【００８４】
すなわち、配合比率変更部１２は、メジュームの配合比率を固定変動量として０ｇから６０ｇまで１０ｇずつ増加させて７通りの割合とし、配合インキにおけるメジュームの配合量の調整を行う。また、配合比率変更部１２は、ＦＧ８５墨の配合量を固定変動量として０ｇから０．６ｇまで０．１ｇずつ増加させて７通りの割合とし、配合インキにおけるＦＧ８５墨の配合量の調整を行う。このとき、配合比率変更部１２は、他のカラー２及びカラー３のベースインキの配合比率に対しては、パターン１＿１及び１＿２と同様に、配合量を基準配合に対して２０％ずつ変更する。配合比率変更部１２は、すでに説明したように、（２）式を用いて、ベースインキであるＦＧ８５墨、ＦＧ１４紅、ＦＧ４５透明黄及びメジュームの配合量の組み合わせを生成する。
【００８５】
図２４は、パターン２＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。この図２４は、図２３に示すテーブルにおいて、Ｆ８５墨及びメジュームを新規発生させて配合インキのベースインキとし、カラー３（ＦＧ４５透明黄）と、メジュームとを基準の配合量で固定し、カラー１（ＦＧ８５墨）とカラー２（ＦＧ１４紅）との配合量を変化させた１ページ目の色彩値と、カラー１及びカラー２を基準の配合量で固定し、カラー３とメジュームとの配合量を変化させた２ページ目の色彩値が示されている。
ここで、図７及び図８の各々に示されるように、配合比率変更部１２は、カラー１及びカラー２と、カラー３及びカラー４（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【００８６】
ここで、座標値算出部１３は、パターン２＿２の場合もパターン１＿１及び１＿２の場合と同様に、配合比率変更部１２の算出した変更配合比率のすべての組み合わせ配合インキの分光反射率及びＬ＊ａ＊ｂ＊値（Ｌ＊ａ＊ｂ＊色空間における座標値、すなわち色彩値）の算出を行う。そして、座標値算出部１３は、パターン２＿２の組み合わせに対応させて、配合量の組み合わせ毎に、各ベースインキの配合量（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【００８７】
図２５は、色彩出力部１４により表示部１５に表示される、色選択者に選択された色とこの色の周辺色を示す色見本の色彩値の配置例を示す図である。この図２５は、パターン２＿２による図２３の変更テーブルに基づいて生成した配合量の組み合わせの各々のＬ＊ａ＊ｂ＊値の表示画像を示している。
この図２５において、表示部１５に表示される画像おいて四角で囲まれた領域の色彩値が元々の色決定者が選択した色彩値であり、この標準配合の色彩値の色の周辺色として、配合量を変更した変更配合比率の配合量の組み合わせの色彩値が表示される。
【００８８】
図２５（ａ）は、図２３のテーブルに示すように、配合インキを配合するベースインキにおいて、新たに加えたカラー１（ＦＧ８５墨）の配合量を、予めパターン２＿２のルールに設定されているように、０ｇから０．６ｇまで０．１ｇずつ増加させている。また、カラー２（ＦＧ１４紅）の配合量を２０パーセントずつ変更して、配合インキのベースインキ各々の配合量を変更した際の色彩値の変化を示している。この図２５（ａ）においては、縦軸がカラー１の配合量を示し、上部から下部に向かって配合量が多くなり、横軸がカラー２の配合量を示し、左から右に向かって配合量が多くなっている。この図２５（ａ）において、ＦＧ８５墨は新たに加えられ、基準配合の色としてはＦＧ８５墨の割合が０であるため、四角で囲まれた標準の色彩値の領域が最もＦＧ８５墨の最も少ない（割合が０の）領域となっている。また、図２５（ａ）においては、カラー３（ＦＧ４５透明黄）の配合量は基準配合のまま固定され、新たに加えられたメジュームの配合量は０のまま固定されている。
【００８９】
図２５（ｂ）は、図２３のテーブルに示すように、配合インキを配合するベースインキにおいて、カラー３（ＦＧ４５黄）の配合量を２０パーセントずつ変更し、新たに加えた新たに加えたメジュームの配合量を、予めパターン２＿２のルールに設定されているように、０ｇから６０ｇまで１０ｇずつ増加させる。このように、図２５（ｂ）は、パターン２＿２のルールに従った、配合インキのベースインキ各々の配合量を変更した際の色彩値の変化を示している。この図２５（ｂ）においては、縦軸がカラー３の配合量を示し、上部から下部に向かって配合量が多くなり、横軸がメジュームの配合量を示し、左から右に向かって配合量が多くなっている。この図２５（ｂ）において、メジュームは新たに加えられ、基準配合の色としてはメジュームの割合が０であるため、四角で囲まれた標準の色彩値の領域が最もメジュームの最も少ない（割合が０の）領域となっている。また、図２５（ｂ）においては、新たに加えられたカラー１（ＦＧ８５墨）とカラー２（ＦＧ４５透明黄）との配合量は基準配合のまま固定されている。
【００９０】
図２６は、配合比率変更部１２による配合インキのベースインキの配合量の変更を示す変更テーブルの一例を示す図である。この図２６はパターン２＿３の配合量の変更ルールに対応している。このパターン２＿３は、配合インキを配合するベースインキにＦＧ８５墨及びメジュームの双方が含まれ、かつベースインキとしてＦＧ８５墨及びメジューム以外に１種類しかなく、色選択者が選択した色彩値の周辺色が生成できない場合における配合量の変更ルールを示す。図２６の変更テーブルにおいて、基準配合で配合インキの配合に用いられているベースインキは、ＦＧ８５墨及びメジューム以外にはＦＧ透明黄のみである。このため、パターン２＿３のルールとして、ベースインキの色相環において、ＦＧ８５墨及びメジューム以外のベースインキであるＦＧ４５透明黄の両側にある色彩値を、新たに配合インクの配合に用いるベースインキとして用いる。
【００９１】
図２７は、本実施形態において用いられているベースインキの色相環の一例を示す図である。この図２７において、横軸がＬ＊ａ＊ｂ＊の色空間におけるｂ＊軸を示し、縦軸がａ＊軸を示している。この図２７の色相環において、図２６の変更テーブルにおけるＦＧ４５透明黄の両側にあり、色彩値が異なる色彩値はＦＧ３１橙とＦＧ耐性草とである。本実施形態においては、パターン２＿３のルールとして、色選択者が選択した色彩値の配合インキにＦＧ８５墨及びメジューム以外のベースインキが１種類のみである場合、新たに配合するベースインキが予め設定されている。この配合インキに配合されているベースインキに対して新たに追加するベースインキの参照先として、パラメータデータベース１７（図１参照）に追加ベースインキテーブルが予め書き込まれて記憶されている。
【００９２】
そして、配合比率変更部１２は、色選択者が選択した色彩値の配合インキにおいて、ＦＧ８５墨及びメジューム以外に１種類のベースインキのみであることを検出すると、パラメータデータベース１７の追加ベースインキテーブルを参照する。配合比率変更部１２は、この追加ベースインキテーブルから、ＦＧ８５墨及びメジューム以外のベースインキに対応して記憶されているベースインキを読み出し、新たに追加するベースインキとして用いる。この新たに追加するベースインキは、配合インキにおけるＦＧ８５墨及びメジューム以外のベースインキに対し、所定の色相差を有する色彩値のベースインキが図２７のベースインキの色相環から予め選択されて、上記追加ベースインキテーブルに設定されている。
【００９３】
たとえば、図２６におけるＦＧ４５透明黄の場合、追加ベースインキテーブルには、このＦＧ４５透明黄に対応して、ＦＧ耐性草とＦＧ３１橙とが設定されている。また、このＦＧ耐性草とＦＧ３１橙とは、追加ベースインキテーブルにおいて、配合インキにおける配合量が０ｇから０．６ｇまで０．１ｇ刻みに変更することが設定されている。配合比率変更部１２は、パターン２＿３のルールに対応している場合、追加ベースインキテーブルを参照して、標準配合の配合インキに含まれるベースインキに対応して記憶されている新たに追加するベースインキ及び配合量の変更の情報を読み出し、図２６の変更テーブルを生成する。
【００９４】
したがって、図２６の場合、配合比率変更部１２は、配合インキを配合するベースインキの中にＦ８５墨及びメジュームの双方が含まれ、その他のベースインキとしてＦＧ４５透明黄しか配合インキに含まれていないことを検出すると、パターン２＿３のルールに対応して、新たなベースインキの追加及び配合量の変更を行う。そして、配合比率変更部１２は、パターン２＿３のルールとして、ＦＧ８５墨及びメジューム以外にＦＧ４５透明黄のみが含まれている場合、追加ベーステーブルを参照して、新たにＦＧ耐性草とＦＧ３１橙との各々を配合インキを配合するベースインキに加える（新規発生させる）。ここで、配合比率変更部１２は、パターン２＿３のルールにおいて設定されたＦＧ耐性草及びＦＧ３１橙の各々の配合量の固定変動量に対応させて、配合インキにおけるＦＧ耐性草及びＦＧ３１橙の各々の配合量を設定する。
【００９５】
すなわち、配合比率変更部１２は、配合インキにおけるＦＧ耐性草及びＦＧ３１橙の各々の配合量の調整において、それぞれの配合量を固定変動量として０％から０．６％まで０．１％ずつ増加させて７通りの割合とする。このとき、配合比率変更部１２は、他のカラー１（ＦＧ８５墨）、カラー２及びメジュームのベースインキの配合量に対しては、パターン１＿１及び１＿２と同様に、配合量を基準配合に対して２０％ずつ変更する。配合比率変更部１２は、すでに説明したように、（２）式を用いて、ベースインキであるＦＧ８５墨、ＦＧ４５透明黄、ＦＧ耐性草、ＦＧ３１橙及びメジュームの配合量の組み合わせを生成する。
【００９６】
図２８は、パターン２＿３によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。この図２８は、図２６に示すテーブルにおいて、ＦＧ耐性草及びＦＧ３１橙を新規発生させて配合インキのベースインキとし、カラー３（ＦＧ耐性草）、カラー４（ＦＧ３１橙）及びメジュームを基準の配合量で固定し、カラー１（ＦＧ８５墨）とカラー２（ＦＧ透明黄）との配合量を変化させた１ページ目の色彩値と、カラー１及びカラー２を基準の配合量で固定し、カラー３、カラー４及びメジュームの配合量を変化させた２ページ目の色彩値が示されている。
ここで、図７及び図８の各々に示されるように、配合比率変更部１２は、カラー１及びカラー２と、カラー３、カラー４及びカラー５（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【００９７】
また、座標値算出部１３は、パターン２＿３の場合もパターン１＿１及び１＿２の場合と同様に、配合比率変更部１２の算出した変更配合比率のすべての組み合わせ配合インキの分光反射率及びＬ＊ａ＊ｂ＊値（Ｌ＊ａ＊ｂ＊色空間における座標値、すなわち色彩値）の算出を行う。そして、座標値算出部１３は、パターン２＿３の組み合わせに対応させて、配合量の組み合わせ毎に、各ベースインキの配合量（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【００９８】
図２９は、色彩出力部１４により表示部１５に表示される、色選択者に選択された色とこの色の周辺色を示す色見本の色彩値の配置例を示す図である。この図２５は、パターン２＿２による図２３の変更テーブルに基づいて生成した配合量の組み合わせの各々のＬ＊ａ＊ｂ＊値の表示画像を示している。
この図２９において、表示部１５に表示される画像おいて四角で囲まれた領域の色彩値が元々の色決定者が選択した色彩値であり、この標準配合の色彩値の色の周辺色として、配合比率を変更した変更配合比率の配合量の組み合わせの色彩値が表示される。
【００９９】
図２９（ａ）は、図２６のテーブルに示すように、配合インキを配合するベースインキにおいて、カラー１（ＦＧ８５墨）及びカラー２（Ｆ４５透明黄）の配合量を２０パーセントずつ変更して、配合インキのベースインキ各々の配合量を変更した際の色彩値の変化を示している。この図２９（ａ）においては、縦軸がカラー１の配合量を示し、上部から下部に向かって配合量が多くなり、横軸がカラー２の配合比率を示し、左から右に向かって配合量が多くなっている。また、図２９（ａ）においては、新たに加えられたカラー３（ＦＧ耐性草）及びカラー４（ＦＧ３１橙）の配合量は０のまま固定され、メジュームの配合量は基準配合のまま固定されている。中央の四角で囲まれた領域が基準配合の色彩値、すなわち色決定者が決定した色彩値が示された領域を示している。
【０１００】
図２９（ｂ）は、図２６のテーブルに示すように、配合インキを配合するベースインキにおいて、パターン２＿３のルールに従い、カラー３（ＦＧ耐性草）の配合量を、０．６ｇから０ｇまで０．１ｇ刻みで変更し、カラー４（ＦＧ３１橙）の配合量を、０ｇから０．６ｇまで０．１ｇ刻みで変更させる。このように、図２９（ｂ）は、パターン２＿３のルールに従った、配合インキのベースインキ各々の配合量を変更した際の色彩値の変化を示している。この図２９（ｂ）においては、縦軸がカラー３及びカラー４の配合量を示し、図２６に示すように、ＦＧ３１橙が上部から下部に向かって配合量が多く、ＦＧ耐性草が下部から上部に向かって配合量が多くなり、横軸がメジュームの配合量を示し、左から右に向かって配合量が多くなっている。また、図２９（ｂ）においては、カラー１（ＦＧ８５墨）とカラー２（ＦＧ４５透明黄）との配合量は基準配合のまま固定されている。
【０１０１】
図３０は、配合比率変更部１２による配合インキのベースインキの配合量の変更を示す変更テーブルの一例を示す図である。この図３０はパターン３＿１の配合量の変更ルールに対応している。このパターン３＿１は、メジュームが含まれＦＧ８５墨が含まれておらず、かつＦＧ８５墨及びメジューム以外のベースインキが、色選択者の選択した色彩値の配合インキにおけるベースインキに含まれていない場合における配合量の変更ルールを示す。すなわち、色決定者に選択された色彩値の配合インクを形成するベースインキが、色を薄くするメジューム、及び色の配合に用いるベースインキの１種類のみである場合に適用される。
【０１０２】
この図３０の場合、配合比率変更部１２は、配合インキを配合するベースインキとして、メジューム及び色の配合に用いるベースインキの１種類のみしかないことを検出すると、パターン３＿１のルールに対応した配合量の変更を行う。そして、配合比率変更部１２は、パターン３＿１のルールとして、ＦＧ８５墨が含まれておらず、かつ色の配合に用いるベースインキが１種類（ＦＧ４５透明黄）のみしか配合インキのベースインキとして用いられていない場合、配合インキのベースインキに対して、新たにＦＧ８５墨及び図２７の色相環において配合インキに含まれている色の両側にある色彩値のベースインキ（ＦＧ３１橙、ＦＧ耐性草）を新たなベースインキとして加える（新規発生させる）。ここで、配合比率変更部１２は、パターン３＿１のルールにおいて設定されたＦＧ８５墨及び新たに加えたベースインキ各々の配合量の固定変動量に対応させて、配合インキにおけるＦＧ８５墨及び新たに加えたベースインキ各々の配合量を設定する。
【０１０３】
この配合インキに配合されているベースインキに対して新たに追加するベースインキの参照先として、パラメータデータベース１７（図１参照）に追加ベースインキテーブルが予め書き込まれて記憶されている。
そして、配合比率変更部１２は、色選択者が選択した色彩値の配合インキにおいて、ＦＧ８５墨が含まれておらず、メジューム以外に１種類のベースインキのみであることを検出すると、パラメータデータベース１７の追加ベースインキテーブルを参照する。配合比率変更部１２は、この追加ベースインキテーブルから、メジューム以外のベースインキに対応して記憶されているベースインキを読み出し、新たに追加するベースインキとして用いる。この新たに追加するベースインキは、配合インキにおけるメジューム以外のベースインキに対し、所定の色相差を有する色彩値のベースインキが図２７のベースインキの色相環から予め選択されて、上記追加ベースインキテーブルに設定されている。
【０１０４】
すなわち、配合比率変更部１２は、ＦＧ８５墨の配合量を固定変動量として０％から１．５％まで０．２５％ずつ増加させて７通りの割合とし、配合インキにおけるＦＧ８５墨の配合量の調整を行う。また、配合比率変更部１２は、新たに追加した色の配合を行うベースインキ（ＦＧ３１橙、ＦＧ耐性草）の配合量を固定変動量として０％から１．５％まで０．５％ずつ増加させて３通りの割合とし、配合インキにおける新たに追加したベースインキの配合量の調整を行う。このとき、配合比率変更部１２は、他のカラー２（ＦＧ４５透明黄）のベースインキの配合量に対しては、パターン１＿１及び１＿２と同様に、配合量を基準配合に対して２０％ずつ変更する。配合比率変更部１２は、すでに説明したように、（２）式を用いて、ベースインキであるＦＧ８５墨、ＦＧ４５透明黄、ＦＧ３１橙、ＦＧ耐性草及びメジュームの配合量の組み合わせを生成する。
【０１０５】
図３１は、パターン３＿１によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。この図３１は、図３０に示すテーブルにおいて、Ｆ８５墨、ＦＧ３１橙及びＦＧ耐性草を新規発生させて配合インキのベースインキとし、カラー３（ＦＧ３１橙）、カラー４（ＦＧ耐性草）及びメジュームを基準の配合量で固定し、カラー１（ＦＧ８５墨）とカラー２（ＦＧ４５透明黄）との配合量を変化させた１ページ目の色彩値と、カラー１及びカラー２を基準の配合量で固定し、カラー３、カラー４及びメジュームとの配合量を変化させた２ページ目の色彩値が示されている。
ここで、図７及び図８の各々に示されるように、配合比率変更部１２は、カラー１及びカラー２と、カラー３、カラー４及びカラー５（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【０１０６】
また、座標値算出部１３は、パターン３＿１の場合もパターン１＿１及び１＿２の場合と同様に、配合比率変更部１２の算出した変更配合比率のすべての組み合わせ配合インキの分光反射率及びＬ＊ａ＊ｂ＊値（Ｌ＊ａ＊ｂ＊色空間における座標値、すなわち色彩値）の算出を行う。そして、座標値算出部１３は、パターン３＿１の組み合わせに対応させて、配合量の組み合わせ毎に、各ベースインキの配合比率（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【０１０７】
図３２は、色彩出力部１４により表示部１５に表示される、色選択者に選択された色とこの色の周辺色を示す色見本の色彩値の配置例を示す図である。この図３２は、パターン３＿１による図３０の変更テーブルに基づいて生成した配合量の組み合わせの各々のＬ＊ａ＊ｂ＊値の表示画像を示している。
この図３２において、表示部１５に表示される画像おいて四角で囲まれた領域の色彩値が元々の色決定者が選択した色彩値であり、この標準配合の色彩値の色の周辺色として、配合量を変更した変更配合比率の配合量の組み合わせの色彩値が表示される。
【０１０８】
図３２（ａ）は、図３０のテーブルに示すように、配合インキを配合するベースインキにおいて、新たに加えたカラー１（ＦＧ８５墨）の配合量を、予めパターン３＿１のルールに設定されているように、０ｇから１．５ｇまで０．２５ｇずつ増加させている。また、カラー２（ＦＧ４５透明黄）の配合量を２０パーセントずつ変更して、配合インキのベースインキ各々の配合量を変更した際の色彩値の変化を示している。この図３２（ａ）においては、縦軸がカラー１の配合量を示し、上部から下部に向かって配合量が多くなり、横軸がカラー２の配合量を示し、左から右に向かって配合量が多くなっている。この図３２（ａ）において、ＦＧ８５墨は新たに加えられ、基準配合の色としてはＦＧ８５墨の割合が０であるため、四角で囲まれた標準の色彩値の領域が最もＦＧ８５墨の最も少ない（割合が０の）領域となっている。また、図３２（ａ）においては、メジュームの配合量は基準配合のまま固定され新たに加えられたカラー３（ＦＧ３１橙）、カラー４（ＦＧ耐性草）の配合量は０のまま固定されている。
【０１０９】
図３２（ｂ）は、図３０のテーブルに示すように、配合インキを配合するベースインキにおいて、パターン３＿１のルールに従い、メジュームの配合量を２０％ずつ変更し、新たに加えたカラー３（ＦＧ３１橙）の配合量を、１．５ｇから０ｇまで０．５ｇ刻みで変更し、カラー４（ＦＧ耐性草）の配合量を、０ｇから１．５ｇまで０．５ｇ刻みで変更させる。このように、図３２（ｂ）は、パターン３＿１のルールに従った、配合インキのベースインキ各々の配合量を変更した際の色彩値の変化を示している。この図３２（ｂ）においては、縦軸がカラー３及びカラー４の配合量を示し、図３０に示すように、ＦＧ３１橙が上部から下部に向かって配合量が少なく、ＦＧ耐性草が下部から上部に向かって配合量が多くなり、横軸がメジュームの配合量を示し、左から右に向かって配合量が多くなっている。また、図３２（ｂ）においては、カラー２（ＦＧ４５透明黄）との配合量は基準配合のまま固定し、新たに加えたカラー１（ＦＧ８５墨）の配合量は０のまま固定されている。
【０１１０】
図３３は、配合比率変更部１２による配合インキのベースインキの配合量の変更を示す変更テーブルの一例を示す図である。この図３３はパターン３＿２の配合量の変更ルールに対応している。このパターン３＿２は、色決定者が決定した色彩値の配合インキのベースインキとして、ＦＧ８５墨及びメジュームのみしか含まれていない場合における配合量の変更ルールを示す。すなわち、色決定者に選択された色彩値の配合インクを形成するベースインキに、ＦＧ８５墨及びメジューム以外の色の配合に用いる種類のベースインキが含まれていない場合に適用される。
【０１１１】
この図３３の場合、配合比率変更部１２は、配合インキを配合するベースインキとして、ＦＧ８５墨及びメジュームのみしかないことを検出すると、パターン３＿２のルールに対応した配合量の変更を行う。そして、配合比率変更部１２は、パターン３＿２のルールとして、ＦＧ８５墨及びメジュームのみが配合インキのベースインキとして用いられている場合、配合インキのベースインキに対して、パターン３＿２のルールに設定されている色の配合に用いる種類のベースインキ（ＦＧ４５透明黄、ＦＧ５８原色藍及びＦＧ１４紅）を、配合インキの新たなベースインキとしてとして加える（新規発生させる）。この新たに加えるベースインキは、統計的に、ＦＧ８５墨及びメジュームのみの色彩値を選択した色決定者が、最終的に微調整して採用する色彩値の配合インキに含まれるベースインキを抽出して用いる。ここで、配合比率変更部１２は、パターン３＿２のルールにおいて設定された配合量の固定変動量に対応させて、新たに配合インキに加えたベースインキ（ＦＧ４５透明黄、ＦＧ５８原色藍及びＦＧ１４紅）各々の配合量を設定する。また、パターン３＿２のルールとして、ＦＧ８５墨及びメジュームの配合量は基準配合のまま、変更させずに固定する。
【０１１２】
この配合インキに配合されているベースインキに対して新たに追加するベースインキの参照先として、パラメータデータベース１７（図１参照）に追加ベースインキテーブルが予め書き込まれて記憶されている。
そして、配合比率変更部１２は、色選択者が選択した色彩値の配合インキにおいて、ＦＧ８５墨及びメジュームのみで、他の色の配合に用いる種類のベースインキが含まれていないことを検出すると、パラメータデータベース１７の追加ベースインキテーブルを参照する。配合比率変更部１２は、この追加ベースインキテーブルから、パターン３＿２に対応して、ＦＧ８５墨及びメジュームのみの場合に配合インキに追加するベースインキを読み出し、新たに追加するベースインキとして用いる。この新たに追加するベースインキは、配合インキにおけるＦＧ８５墨及びメジュームに対し、最終的に微調整して採用する色彩値の配合インキに含まれるベースインキが図２７のベースインキの色相環から予め選択されて、上記追加ベースインキテーブルに設定されている。
【０１１３】
すなわち、配合比率変更部１２は、ＦＧ８５墨の配合比率を５％に固定し、メジュームの配合比率を９５％に固定し、新たに追加したベースインキの配合量の調整を行う。
配合比率変更部１２は、新たに追加した色の配合を行うベースインキにおいて、ＦＧ４５透明黄の配合量を固定比率として、０ｇから６ｇまで１ｇ刻みで変化させて７通りの割合とし、配合インキの調整を行う。また、配合比率変更部１２は、新たに追加した色の配合を行うベースインキにおいて、カラー２（ＦＧ４５透明黄）、カラー３（ＦＧ５８原色藍）及びカラー４（ＦＧ１４紅）の各々の配合量を固定比率として、０ｇから６ｇまで１ｇ刻みで変化させて７通りの割合とし、配合インキの調整を行う。また、配合比率変更部１２は、新たに追加した色の配合を行うベースインキにおいて、ＦＧ５８原色藍の配合量を固定比率として、０ｇから６ｇまで１ｇ刻みで変化させて７通りの割合とし、配合インキの調整を行う。配合比率変更部１２は、すでに説明したように、（２）式を用いて、ベースインキであるＦＧ８５墨、ＦＧ４５透明黄、ＦＧ５８原色藍、ＦＧ１４紅及びメジュームの配合量の組み合わせを生成する。
【０１１４】
図３４は、パターン３＿２によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。この図３４は、図３３に示すテーブルにおいて、Ｆ４５透明黄、ＦＧ５８原色藍及びＦＧ１４紅を新規発生させて配合インキのベースインキとし、カラー３（ＦＧ５８原色藍）、カラー４（ＦＧ１４紅）及びメジュームを基準の配合量で固定し、カラー１（ＦＧ８５墨）とカラー２（ＦＧ４５透明黄）との配合量を変化させた１ページ目の色彩値と、カラー１及びカラー２を基準の配合量で固定し、カラー３、カラー４及びメジュームとの配合量を変化させた２ページ目の色彩値が示されている。
ここで、図７及び図８の各々に示されるように、配合比率変更部１２は、カラー１及びカラー２と、カラー３、カラー４及びカラー５（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【０１１５】
また、座標値算出部１３は、パターン３＿２の場合もパターン１＿１及び１＿２の場合と同様に、配合比率変更部１２の算出した変更配合比率のすべての組み合わせ配合インキの分光反射率及びＬ＊ａ＊ｂ＊値（Ｌ＊ａ＊ｂ＊色空間における座標値、すなわち色彩値）の算出を行う。そして、座標値算出部１３は、パターン３＿２の組み合わせに対応させて、配合量の組み合わせ毎に、各ベースインキの配合量（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【０１１６】
図３５は、色彩出力部１４により表示部１５に表示される、色選択者に選択された色とこの色の周辺色を示す色見本の色彩値の配置例を示す図である。この図３５は、パターン３＿２による図３３の変更テーブルに基づいて生成した配合比率の組み合わせの各々のＬ＊ａ＊ｂ＊値の表示画像を示している。
この図３５において、表示部１５に表示される画像おいて四角で囲まれた領域の色彩値が元々の色決定者が選択した色彩値であり、この標準配合の色彩値の色の周辺色として、配合量を変更した変更配合比率の配合量の組み合わせの色彩値が表示される。
【０１１７】
図３５（ａ）は、図３３のテーブルに示すように、配合インキを配合するベースインキにおいて、予めパターン３＿２のルールに設定されているように、新たに加えたカラー３（ＦＧ５８原色藍）及びカラー２（ＦＧ４５透明黄）の配合量を０ｇから６ｇまで１ｇずつ増加させ配合インキのベースインキ各々の配合量を変更した際の色彩値の変化を示している。この図３５（ａ）においては、縦軸がカラー３の配合量を示し、上部から下部に向かって配合量が多くなり、横軸がカラー２の配合量を示し、左から右に向かって配合量が多くなっている。この図３５（ａ）において、新たに追加されたカラー２及びカラー３の配合量が最も少ない領域は、カラー２及びカラー３の配合量が０の左上の四角で囲まれた標準の色彩値の領域が、色選択者に選択された色彩値の色を表示した領域となっている。また、図３５（ａ）においては、カラー１（ＦＧ８５墨）の配合量は５ｇであり、メジュームの配合比率は９５ｇであり、新たに追加されたカラー４（ＦＧ１４紅）配合量は０のまま固定されている。
【０１１８】
図３５（ｂ）は、図３３のテーブルに示すように、配合インキを配合するベースインキにおいて、パターン３＿２のルールに従い、新たに追加したカラー３（ＦＧ５８原色藍）及びカラー４（ＦＧ１４紅）の各々の配合量を、１ｇから６ｇまで１ｇ刻みで変更させる。このように、図３５（ｂ）は、パターン３＿２のルールに従った、配合インキのベースインキ各々の配合量を変更した際の色彩値の変化を示している。この図３５（ｂ）においては、縦軸がカラー４（ＦＧ１４紅）の配合量率を示し、図３３に示すように、ＦＧ１４紅が上部から下部に向かって配合量が多く、横軸がカラー３（ＦＧ５８原色藍）の配合量を示し、左から右に向かってＦＧ５８原色藍の配合量が高くなっている。また、図３５（ｂ）においては、カラー１（ＦＧ８５墨）の配合量は５ｇ、メジュームの配合量は９５ｇの基準配合のまま固定し、新たに加えたカラー２（ＦＧ４５透明黄）の配合量は０のまま固定されている。
【０１１９】
図３６は、配合比率変更部１２による配合インキのベースインキの配合量の変更を示す変更テーブルの一例を示す図である。この図３６はパターン４の配合比率の変更ルールに対応している。このパターン４は、色決定者が決定した色彩値の配合インキのベースインキとして、ＦＧ８５墨が含まれておらず、メジューム及び１種類の色の配合を行う種類のベースインキのみ、例えばＦＧ４５透明黄のみしか含まれていない場合におけるベースインキの配合比率の変更ルールを示す。すなわち、色決定者に選択された色彩値の配合インクを形成するベースインキに、メジュームと色の配合を行う種類のベースインキが１種類しか含まれていない場合に適用される。
【０１２０】
この図３６の場合、配合比率変更部１２は、配合インキを配合するベースインキとして、配合を行う種類のベースインキが１種類のみしかないことを検出すると、パターン４のルールに対応した配合量の変更を行う。そして、配合比率変更部１２は、パターン４のルールとして、ＦＧ４５透明黄のみが配合インキのベースインキとして用いられている場合、配合インキのベースインキに対して、パターン４のルールに設定されている色の配合に用いる種類のベースインキ（ＦＧ３１橙、ＦＧ耐性草及びＦＧ８５墨）を、配合インキの新たなベースインキとしてとして加える（新規発生させる）。この新たに加えるベースインキにおいて、ＦＧ８５墨以外のベースインキは、統計的に、色の配合に用いる種類のベースインキのみの色彩値の色を選択した色決定者が、最終的に微調整して採用する色彩値の配合インキに含まれるベースインキを抽出して用いる。ここで、配合比率変更部１２は、パターン４のルールにおいて設定された配合量の固定変動量に対応させて、新たに配合インキに加えたベースインキ（ＦＧ３１橙、ＦＧ耐性草及びＦＧ８５墨）各々の配合量を設定する。また、パターン４のルールとして、初めから配合インキに用いられていたベースインキ、例えばカラー１（ＦＧ４５透明黄）の配合量は基準配合のまま、変更させずに固定する。
【０１２１】
この配合インキに配合されているベースインキに対して新たに追加するベースインキの参照先として、パラメータデータベース１７（図１参照）に追加ベースインキテーブルが予め書き込まれて記憶されている。ここで、配合インキに初めから存在するベースインキがＦＧ４５透明黄の場合、図２７のベースインキの色相環において、ＦＧ４５透明黄の両側に位置するＦＧ耐性草とＦＧ３１橙とが、追加ベースインキテーブルに設定されている。
そして、配合比率変更部１２は、色選択者が選択した色彩値の配合インキにおいて、色の配合に用いる種類のベースインキが一種類のみで、他の色の配合に用いる種類のベースインキが含まれていないことを検出すると、パラメータデータベース１７の追加ベースインキテーブルを参照する。配合比率変更部１２は、この追加ベースインキテーブルから、パターン４に対応して、色の配合に用いるベースインキが一種類の場合に配合インキに追加するベースインキを読み出し、新たに追加するベースインキとして用いる。この新たに追加するベースインキは、配合インキにおけるＦＧ４５透明黄に対し、最終的に微調整して採用する色彩値の配合インキに含まれるベースインキが図２７のベースインキの色相環から予め選択されたＦＧ耐性草とＦＧ３１橙とが、上記追加ベースインキテーブルに設定されている。
【０１２２】
すなわち、配合比率変更部１２は、ＦＧ４５透明黄の配合量を１００ｇに固定し、新たに追加したベースインキの配合量の調整を行う。
配合比率変更部１２は、新たに追加した色の配合を行うベースインキにおいて、カラー２（ＦＧ３１橙）及びカラー３（ＦＧ耐性草）の各々の配合量を固定比率として、０ｇから６ｇまで１ｇ刻みで変化させて７通りの割合とし、配合インキの調整を行う。また、配合比率変更部１２は、新たに追加したベースインキにおいて、カラー４（ＦＧ８５墨）の配合量を固定比率として、０ｇから３ｇまで０．５ｇ刻みで変化させて７通りの割合とし、配合インキの調整を行う。配合比率変更部１２は、すでに説明したように、（２）式を用いて、ベースインキであるＦＧ４５透明黄、ＦＧ３１橙、ＦＧ耐性草及びＦＧ８５墨の配合量の組み合わせを生成する。
【０１２３】
図３７は、パターン４によるＬ＊ａ＊ｂ＊色空間に座標値であるＬ＊ａ＊ｂ＊値を、Ｌ＊軸を省略してａ＊軸とｂ＊軸とからなるａ＊ｂ＊二次元座標平面に投影した図である。
この図３７は、図３６に示すテーブルにおいて、カラー２（ＦＧ３１橙）、カラー３（ＦＧ耐性草）及びカラー４（ＦＧ８５墨）を新規発生させて配合インキのベースインキとし、カラー１（ＦＧ４５透明黄）を基準の配合量で固定し、カラー４（ＦＧ８５墨）の配合比率を０とし、カラー２（ＦＧ３１橙）とカラー３（ＦＧ耐性草）との配合量を変化させた１ページ目の色彩値と、カラー１（ＦＧ４５透明黄）を基準の配合量で固定し、カラー２（ＦＧ４５透明黄）を０とし、カラー３及びカラー４との配合量を変化させた２ページ目の色彩値が示されている。
ここで、図７及び図８の各々に示されるように、配合比率変更部１２は、カラー１及びカラー２と、カラー３、カラー４及びカラー５（メジューム）との変更した配合量の組合わせに対応して、変更された配合比率として変更配合比率を算出する。そして、座標値算出部１３は、この変更配合比率の配合インキのＬ＊ａ＊ｂ＊値を算出する。
【０１２４】
また、座標値算出部１３は、パターン４の場合もパターン１＿１及び１＿２の場合と同様に、配合比率変更部１２の算出した変更配合比率のすべての組み合わせ配合インキの分光反射率及びＬ＊ａ＊ｂ＊値（Ｌ＊ａ＊ｂ＊色空間における座標値、すなわち色彩値）の算出を行う。そして、座標値算出部１３は、パターン４の組み合わせに対応させて、配合量の組み合わせ毎に、各ベースインキの配合量（及び変更配合比率）とこの配合量の配合インキのＬ＊ａ＊ｂ＊値とを対応づけ、色見本データベース１８に対して書き込んで記憶させる。
また、色彩出力部１４は、読み出した変換式により、Ｌ＊ａ＊ｂ＊値を、表示部１５に表示する色彩値、たとえばＲＧＢ値に変換し、色選択者に選択された色彩値の色と、この選択された色彩値の周辺色との画像を表示部１５に表示する。
【０１２５】
図３８は、色彩出力部１４により表示部１５に表示される、色選択者に選択された色とこの色の周辺色を示す色見本の色彩値の配置例を示す図である。この図３８は、パターン４による図３６の変更テーブルに基づいて生成した配合量の組み合わせの各々のＬ＊ａ＊ｂ＊値の表示画像を示している。
この図３８において、表示部１５に表示される画像おいて四角で囲まれた領域の色彩値が元々の色決定者が選択した色彩値であり、この標準配合の色彩値の色の周辺色として、配合量を変更した変更配合比率の配合量の組み合わせの色彩値が表示される。
【０１２６】
図３８（ａ）は、図３６のテーブルに示すように、配合インキを配合するベースインキにおいて、予めパターン４のルールに設定されているように、新たに加えたカラー２（ＦＧ３１橙）及びカラー３（ＦＧ耐性草）の配合量を０ｇから６ｇまで１ｇずつ増加させた配合インキのベースインキ各々の配合量を変更した際の色彩値の変化を示している。この図３８（ａ）においては、縦軸がカラー３の配合量を示し、上部から下部に向かって配合量が多くなり、横軸がカラー２の配合量を示し、左から右に向かって配合量が多くなっている。この図３８（ａ）において、新たに追加されたカラー２及びカラー３の配合量が最も少ない領域は、カラー２及びカラー３の配合量が０の左上の四角で囲まれた標準の色彩値の領域が、色選択者に選択された色彩値の色を表示した領域となっている。また、図３８（ａ）においては、カラー１（ＦＧ８５墨）の配合量は１００ｇであり、メジュームの配合量は０ｇであり、新たに追加されたカラー４（ＦＧ１４紅）配合量は０のまま固定されている。
【０１２７】
図３８（ｂ）は、図３６のテーブルに示すように、配合インキを配合するベースインキにおいて、パターン４のルールに従い、新たに追加したカラー３（ＦＧ耐性草）の配合量を１ｇから６ｇまで１ｇ刻みで変更させ、カラー４（ＦＧ８５墨）の配合量を、０ｇから３ｇまで０．５ｇ刻みで変更させる。このように、図３８（ｂ）は、パターン４のルールに従った、配合インキのベースインキ各々の配合量を変更した際の色彩値の変化を示している。この図３８（ｂ）においては、縦軸がカラー４（ＦＧ８５墨）の配合比率を示し、図３６に示すように、ＦＧ８５墨が上部から下部に向かって配合量が多く、横軸がカラー３（ＦＧ耐性草）の配合量を示し、左から右に向かってＦＧ耐性草の配合量が多くなっている。また、図３８（ｂ）においては、カラー１（ＦＧ透明黄）の配合量は１００ｇ、メジュームの配合量は０ｇの基準配合のまま固定し、新たに加えたカラー２（ＦＧ３１橙）の配合量は０のまま固定されている。
【０１２８】
上記で説明したように、配合比率変更部１２は、各パターン毎に設定されたルールにより、色選択者の選択した色彩値（標準配合）の複数の周辺色を生成するため、色選択者の選択した色彩値の配合インキを配合するベースインキの配合量を変更する。
図３９は、標準配合の配合インキの色彩値を標準配合の点から周辺色の領域へと広げる処理を説明する図である。この図３９は、Ｌ＊ａ＊ｂ＊空間（色空間）を示しており、Ａ点が色選択者が選択した色の色彩値（Ｌ＊ａ＊ｂ＊値）を示している。新たなＢ点及びＣ点の色彩値を有するベースインキを所定の配合比率で追加するということは、色空間においてＡ点に対して、Ｂ点及びＣ点方向に色相を広げることになる。また、Ａ点の色彩値は、メジュームを所定の配合量で追加することはＡ点からＬ＊軸に対する垂線上を、Ｌ＊軸上のＤ点に向かって変化することになる。また、Ａ点の色彩値は、配合インキにおけるＦＧ８５墨を所定の配合量で追加することはＡ点から原点Ｏに向かって変化することになる。
【０１２９】
上述したように、本実施形態によれば、色決定者がすでに準備された色見本で決定した色から、実際に色決定者が最終的に用いる色を容易に抽出するため、色決定者が選択した色の色彩値に対し、微妙な色相の変化をつけて、色見本を選択された色を中心に拡充することで、より色決定者の色彩値の選択及び選択した色の再現を容易とすることができる。
したがって、本実施形態によれば、色決定者が色の選択に用いた色見本帳と、選択した色を生成する彩色製品製造時とでは、使用する材料や配合割合などが異なっても、彩色製品製造者が色決定者の選択した色を再現するため、彩色に必要なインキの配合や、材料の種類などを変化させ、煩雑な色合わせ作業を行う必要がなりなり、色再現の効率を向上させることが可能となる。
【０１３０】
次に、図面を参照して、本発明の実施の形態で用いる再現可能色域データベース１６の作成について説明する。図４０は、この発明の一実施形態による再現可能色域データベースを作成する色域データベース作成システム１００の構成例を示す概略ブロック図である。
図４０において、色域データベース作成システム１００は、素材設定部１１１、ベースインキ選択部１１２、コンビネーション設計部１１３、初期配合設定部１１４、分光反射率計算部１１５、Ｌ＊ａ＊ｂ＊算出部１１６、Ｌ＊ａ＊ｂ＊空間データ補完部１１７、表示部１１８、ベースインキデータベース１１９及び素材データベース２０を備えている。
また、色域データベース作成システム１００は、作成した色域データを外部の再現可能色域データベース１６に予め書き込まれて記憶されている配合インキテーブルに書き込む。
【０１３１】
素材設定部１１１は、素材データベース１２０に予め書き込まれている、配合インキ（特色インキ）を印刷（特色印刷）する下地の素材の種類が書き込まれた下地素材テーブルから読み出し、素材の名称である素材名称の一覧表を表示部１１８に表示し、この一覧表からの素材の選択を操作者に促す。
また、素材設定部１１１は、表示部１１８に表示された一覧表から操作者が素材を選択すると、選択された素材の下地素材識別情報をベースインキ選択部１１２及び分光反射率計算部１１５に対して出力する。
【０１３２】
素材データベース１２０には、図４１に示す下地素材テーブルが、予め書き込まれて記憶されている。図４１は、素材データベース１２０に予め書き込まれて記憶されている下地素材テーブルの構成を示している。この図４１において、下地素材テーブルは、下地素材を識別する下地素材識別情報と、この下地素材識別情報が示す素材の名称である素材名称と、この素材の分光反射率のデータとが組みとして構成されている。分光反射率は３８０ｎｍから７８０ｎｍまで、１０ｎｍ刻みで記憶されている。素材名称としては、例えば、コート紙やアルミ（アルミニウム）などの彩色する下地の素材の名称がある。
【０１３３】
ここで、分光反射率の測定条件は、例えばミノルタ製の分光光度計（ＣＭ−２６００ｄ）を用いた場合は、積分球によるＤ／８（鏡面反射光取込）もしくはｄ／８（鏡面反射光非取込）であったり、Ｘ−Ｒｉｔｅ社製分光光度計  ＳｐｅｃｔｒｏＥｙｅ（登録商標）を用いた場合は、４５／０（フィルタ条件含む）である。これらの測定条件は、測定された分光反射率と共に、測定機名称や測定条件を記憶する。また、素材データベース２０に記憶されている色彩値であるＬ＊ａ＊ｂ＊値（Ｌ＊ａ＊ｂ＊）は、例えばＤ５０／２度視野による計算値とし、その計算方法はＪＩＳ  Ｚ８７２９にある方法を使用する。
【０１３４】
ベースインキ選択部１１２は、操作者の選択した下地素材に適用可能なベースインキを、ベースインキデータベース１１９に記憶されているベースインキのなかから選択する。
また、ベースインキ選択部１１２は、この選択した下地素材の彩色に適用可能なベースインキを、耐性データ、透明度及び価格などの属性データによってグルーピングする。例えば、耐光性が所定の数値より高いベースインキのグループ、耐酸性が所定の数値より高くかつ価格が所定の価格より安いベースインキのグループなどにグルーピング（分類）する。このグループを作成する耐性データ、透明度及び価格などの属性データの条件は、予め操作者が設定しておく。
【０１３５】
ここで、ベースインキ選択部１１２は、設定されているグループの属性データの組みを表示し、いずれの属性データの組みのグループを、配合色を生成するベースインキのグループとするかの選択を、操作者に対して促す。
また、ベースインキ選択部１１２は、操作者が選択した属性データの組み合わせに対応するベースインキのグループを、コンビネーション設計部１１３に対して出力する。
【０１３６】
ベースインキデータベース１１９には、図４２に示すベースインキテーブルが予め書き込まれて記憶されている。図４２は、ベースインキデータベース１９に予め書き込まれて記憶されているベースインキテーブルの構成例を示している。この図４２において、ベースインキテーブルは、例えば、ベースインキを識別するベースインキ識別情報と、このベースインキ識別情報が示すベースインキの種類の名称と、このインキベースの色を示す色名称と、このベースインキの色材濃度と、光学濃度（分光反射率からすでに述べた（１）式により算出される数値）のデータ（後述する波長λ毎）と、印刷可能な下地素材の名称である下地対応情報と、単位当たりの価格と、ベースインキの透明度と、ベースインキの耐性特性の評価値を示す耐性データと、このベースインキを入手及び使用可能な地域や、その地域の化学物質法規制への対応情報などと、分光反射率を測定した測定装置情報と、分光反射率を測定する際の測定条件として照明の種類とが組みとして構成されている。属性データとしては、透明度、価格、耐性データなどである。
【０１３７】
ここで、ベースインキの種類としては、油性オフセットインキ、ＵＶ（紫外線）硬化型インキ、グラビアインキ、フレキソインキ、シルクスクリーン印刷インキ及び金属インキなどである。色名称としては、例えば、赤色、黄色、青色、緑色、橙色などである。また、下地対応情報とは、印刷可能な下地素材の名称が記載され、全部とされているときは全ての下地素材に対応可能であることを示している。価格は所定の単位毎、例えば１ｋｇ（キログラム）毎の標準販売価格が記載されている。
【０１３８】
測定装置情報は、分光反射率を測定したメーカー、製品名及び型番に加えてフィルタ有無や鏡面反射成分の有無などの測定条件などが記載されている。分光反射率の測定条件は、例えばミノルタ製の分光光度計  ＣＭ−２６００ｄを用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）である。これらの測定条件は、光学濃度を求めるために測定された分光反射率及び分光反射率を測定した測定機名称とともに、ベースインキデータベース１１９のベースインキテーブルに書き込んで記憶させる。この測定条件については下地素材の分光反射率の場合と同様である。また、透明度は、そのベースインキの展色物（例えば、顔料を均等に分散・付着させる媒体である展色材）を評価する事によって求められ、例えば０−５の数値に置き換えられる。
【０１３９】
耐性データは、それぞれの用途に対して用いられるために必要な特性、例えば図４３のテーブルに示す耐光性、耐アルカリ性、耐溶剤性、耐水性、耐酸性、耐ボイル性、耐レトルト性などである。
図４３は、一例としてオフセットインキ及びグラビアインキにおける耐性特性の種類とその耐性の説明が示されている。
この図４３において、耐光性は、蛍光灯や太陽光に含まれる紫外線による色褪せの程度に対する耐性の評価を示している。また、耐アルカリ性は、アルカリ性を有する環境による色褪せ及び変色に対する耐性の評価を示している。耐溶剤性は、付着した溶剤による色褪せ及び変色に対する耐性の評価を示している。耐水性は、付着した水による色褪せ及び変色に対する耐性の評価を示している。耐酸性は、付着した酸性を有する液体による色褪せ及び変色に対する耐性の評価を示している。耐ボイル性は、加熱された際の温度による色褪せ及び変色に対する耐性の評価を示している。耐レトルト性は、内容物の殺菌や加熱加工時された際の温度による色褪せ及び変色に対する耐性の評価を示している。
【０１４０】
図４０に戻り、コンビネーション設計部１１３は、操作者が選択したベースインキのグループが供給されると、このグループ内における異なるベースインキを２種類以上選択し、配合インキを配合するためのベースインキの組み合わせ（コンビネーション）を生成する。
上述したように、コンビネーション設計部１１３は、ベースインキの異なる色の配合に際し、例えば２種類から３種類の異なる色のベースインキの配合する組み合わせを設定する。このとき、コンビネーション設計部１１３が異なる色のベースインキの配合の組み合わせを設計する場合、一般的に用いられない色の組み合わせを、除外組み合わせとして予め設定しておく。
【０１４１】
そして、コンビネーション設計部１１３は、生成される色の組み合わせを確認し、この除外組み合わせが検出された場合、この組み合わせを削除して配合インキの色の設計から除外する。例えば、除外組み合わせは、橙色／紫色／草色や黄色／紫色／緑などの色合せ作業では一般的ではないベースインキの組み合わせである。また、色として用いられる可能性が低い色となる可能性のある、ベースインキの組み合わせを、上述した除外組み合わせに加えても良い。以下、この色の組み合わせを、配合インキ組と呼ぶ。
また、コンビネーション設計部１１３は、作成した配合インキ組の各々を配合インキ組テーブルとして、ベースインキデータベース１１９に書き込んで記憶させる。
【０１４２】
初期配合設定部１１４は、ベースインキデータベース１１９の配合インキ組テーブルから順次、１つずつ配合インキ組を取り出す。
また、初期配合設定部１１４は、配合インキ組を構成するベースインキ各々の組み合わせの割合を設定する。
例えば、配合インキ組が３種類のベースインキから構成されている場合、この３種類のベースインキＩ１、ベースインキＩ２及びベースインキＩ３の組み合わせる割合、ｃ１：ｃ２：ｃ３を設定する。このとき、例えば、配合する割合の刻み幅は墨色を除く色を１０％とし、墨色の割合を２％とする。
【０１４３】
また、例えば、ベースインキに使われる顔料の特性によって配合量が少ない場合に外的要因による退色が顕著になってしまう為にインキや印刷物の耐性性能に影響する様な配合量制限がある等の特性により、配合する割合の上限及び下限が存在するベースインキの種類においては、この割合の上限及び下限のいずれかあるいは双方を設定する。
一例として、墨色の場合には配合の割合の上限を３０％とし、淡色耐候性が配合する他のベースインキに比較して低いベースインキの場合には下限を２％とする。
そして、初期配合設定部１４は、１０％刻みで１つのインキベースで１０段階の割合とした場合、
[ｃ１，ｃ２，ｃ３]
＝{[０．１，０．１，０．８]，…，[０．１，０．８，０．１]，…，[０．８，０．１，０．１]}
などの配合割合（配合比率）の集合を設計データとして生成する（ｃ１＋ｃ２＋ｃ３＝１）。
【０１４４】
分光反射率計算部１１５は、初期配合の組合せに対する分光反射率及びＬ＊ａ＊ｂ＊値（Ｌ＊ａ＊ｂ＊色空間における座標値、すなわち色彩値）の算出を行う。ここで、分光反射率計算部１１５は、配合インキの分光反射率をすでに示した（１）式及び（３）式により、配合したベースインキの各々の配合比率ａｉ及び光学濃度Ｎｉ（λ）とから、配合して得られた配合インキを下地素材に彩色した際の光学濃度Ｎｃ（λ）を算出して求める。
ここで、ｉは配合するベースインキの数である。光学濃度は、例えば、波長λが３８０ｎｍから７８０ｎｍまで、１０ｎｍ刻みでベースインキデータベース１９に記憶されている。分光反射率計算部１１５は、上記光学濃度と同様に、例えば波長λが３８０ｎｍから７８０ｎｍまで、１０ｎｍ刻みで配合インキの分光反射率を算出する。
【０１４５】
上記（３）式において、Ｎｃは配合した配合インキを下地素材に彩色した際の光学濃度であり、Ｎｉは配合したベースインキの光学濃度であり、ｃｉ（たとえば上記ｃ１，ｃ２，ｃ３）は配合比率である。ｉは、配合するベースインキの種類の数である。また、分光反射率計算部１５は、下地素材の光学濃度Ｎｗを、下地素材テーブルから下地素材の分光反射率を読み出し、（１）式に代入して求める。
例えば、３種類のべースインキを用いて配合インキを配合する際（ｎ＝３）、配合インキ組の各々の初期配合の分光反射率は、分光反射率計算部１１５において、すでに説明した（４）式により算出される。例えば、赤色（光学濃度Ｎ１（λ））と緑色（光学濃度Ｎ２（λ））と青色（光学濃度Ｎ３（λ））との各々を、３：３：４の配合比率（ｃ１＝０．３、ｃ２＝０．３、ｃ３＝０．４）で配合した場合、配合した配合インキを下地素材に彩色した際の分光反射率Ｒ（λ）ｃｏｍｐは、以下の（４）式のようになる。
【０１４６】
また、上述したように、ベースインキテーブルには、波長毎の光学濃度が予め書き込まれて記憶されている。この光学濃度を算出する際に用いる分光反射率は、例えばミノルタ製の分光光度計ＣＭ−２６００ｄを用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）の測定条件で測定されている。これらの測定条件は、測定された分光反射率と共に、測定機名称や測定条件を記憶する。また記憶している色彩値であるＬ＊ａ＊ｂ＊値は、例えばＤ５０／２度視野による計算値とし、その計算方法はＪＩＳ  Ｚ８７２９にある方法を使用する。
【０１４７】
Ｌ＊ａ＊ｂ＊算出部１１６は、分光反射率計算部１１５が算出した配合インキの分光反射率Ｒ（λ）ｃｏｍｐと、等色関数と、照明の分光反射強度とから、予め設定された一般的な分光反射率からの変換を行う変換式を用いて、初期配合の配合インキ各々のＬ＊ａ＊ｂ＊値（下地素材に彩色された際の色彩値）の算出を行う。
【０１４８】
図４４は、配合インキの配合情報が記載されている配合インキテーブルの構成例を示す図である。この図４４の配合インキテーブルは、再現可能色域データベース１６に書き込まれて記憶されている。この配合インキテーブルは、２種類あるいは３種類など複数の異なる色のベースインキを配合した（後述する配合比率において配合した）場合の分光反射率及びＬ＊ａ＊ｂ＊色空間（色空間）における色彩値データある座標の値（Ｌ＊ａ＊ｂ＊値）を示し、再現可能な色域を示している。
【０１４９】
また、図４４（ａ）には、一例として、配合インキを識別する配合インキ識別情報とともに、配合インキの下地となっている下地素材を識別する下地素材識別情報と、分光反射率と色の管理番号である色番号と、Ｌ＊ａ＊ｂ＊値と、ベースインキの分光反射率の測定を行った測定装置の情報と、配合インキの配合に用いたベースインキ情報（配合比率を含む）と、使用したベースインキが入手及び使用可能な地域と、対応情報となどの属性データの欄がある。
【０１５０】
また、図４４（ａ）におけるベースインキ情報は、図４４（ｂ）に示す構成となっている。
図４４（ｂ）は、配合インキの配合に用いたベースインキを識別するベースインキ識別情報及び配合比率などが示されている。
【０１５１】
図４５は、初期配合した配合インキ各々のＬ＊ａ＊ｂ＊値をＬ＊ａ＊ｂ＊色空間の各座標にプロットした図である。
図４０に戻り、初期配合インキを配合する際、ベースインキの割合を所定の率、例えば１０％ずつ変化させて配合しても、図４５のＬ＊ａ＊ｂ＊色空間においては、各配合の座標が所定の間隔で求められる訳ではない。このため、後述するＬ＊ａ＊ｂ＊空間データ補完部１１７は、図４５のＬ＊ａ＊ｂ＊色空間における座標値に対応するＬ＊ａ＊ｂ＊値が算出されておらず疎となっている領域のＬ＊ａ＊ｂ＊値を補完する。
【０１５２】
Ｌ＊ａ＊ｂ＊空間データ補完部１１７は、図４５のＬ＊ａ＊ｂ＊空間の座標値におけるＬ＊ａ＊ｂ＊値の有無の連続性を検出し、Ｌ＊ａ＊ｂ＊値が計算されていない疎の座標領域の検出を行う。例えば、Ｌ＊ａ＊ｂ＊空間データ補完部１１７は、Ｌ＊ａ＊ｂ＊値のある座標値が「１」を超えて不連続である領域、すなわちＬ＊ａ＊ｂ＊値が計算されていない座標の距離が以上離れている間の座標値のＬ＊ａ＊ｂ＊値を補完する。この補完に関する詳細な処理は、後述するが、Ｌ＊ａ＊ｂ＊値を離散化Ｌ＊ａ＊ｂ＊値として配合比率の算出を行う。ここで、Ｌ＊ａ＊ｂ＊空間データ補完部１１７は、Ｌ＊ａ＊ｂ＊空間において、すでに配合比率が求められている離散化Ｌ＊ａ＊ｂ＊値に対し、配合比率が求められていない離散化Ｌ＊ａ＊ｂ＊値の配合比率を計算対象とする。
そして、Ｌ＊ａ＊ｂ＊空間データ補完部１１７は、配合比率が算出されていない離散化Ｌ＊ａ＊ｂ＊値を、目標の離散化Ｌ＊ａ＊ｂ＊値とし、この目標のＬ＊ａ＊ｂ＊値となる分光反射率を算出する。
【０１５３】
すなわち、Ｌ＊ａ＊ｂ＊空間データ補完部１１７は、分光反射率計算部１１５に対し、Ｌ＊ａ＊ｂ＊値に隣接するＬ＊ａ＊ｂ＊値が計算された座標値における配合比率を変化させた補完配合比率を出力し、補完分光反射率を算出させる。そして、Ｌ＊ａ＊ｂ＊空間データ補完部１１７は、分光反射率計算部１１５の算出した補完分光反射率を用いて、Ｌ＊ａ＊ｂ＊算出部１１６に予測値として補完Ｌ＊ａ＊ｂ＊値を算出させる。Ｌ＊ａ＊ｂ＊空間データ補完部１１７は、Ｌ＊ａ＊ｂ＊算出部１１６が算出した予測値である補完Ｌ＊ａ＊ｂ＊値と、補完配合比率を与えた目標の離散化Ｌ＊ａ＊ｂ＊値とが一致するか否かの判定を行う。
【０１５４】
ここで、Ｌ＊ａ＊ｂ＊空間データ補完部１１７は、補完Ｌ＊ａ＊ｂ＊値が補完配合比率を与えた座標値（後述する計算対象となっている離散化Ｌ＊ａ＊ｂ＊値）と予め設定されている所定の誤差内で一致した場合、この補完Ｌ＊ａ＊ｂ＊値をこの座標におけるＬ＊ａ＊ｂ＊値とする。また、Ｌ＊ａ＊ｂ＊空間データ補完部１１７は、補完値を再現可能色域データベース１６の配合インキテーブルに、初期配合の配合インキのデータに対して、追加で書き込み記憶させる。
一方、Ｌ＊ａ＊ｂ＊空間データ補完部１１７は、補完Ｌ＊ａ＊ｂ＊値が補完配合率を与えた座標値と予め設定されている所定の誤差内で一致しない場合、この補完Ｌ＊ａ＊ｂ＊値（Ｌ＊ａ＊ｂ＊空間における後述する疎の領域の座標に対応する計算対象とされる離散化Ｌ＊ａ＊ｂ＊値）を算出した際の補完配合比率を変化させ、所定の誤差範囲において一致するまで上述した処理を繰り返して行う。
【０１５５】
次に、図４６は、本実施形態による色域データベース作成システム１００の配合インキテーブルの作成における動作を示すフローチャートである。以下、この図４６及び図４０を用いて、本実施形態による本実施形態による色域データベース作成システム１００の動作例を説明する。
ステップＳ１：
素材設定部１１１は、ベースインキを配合して生成する配合インキの下地となる下地素材を操作者に選択させるため、例えば、素材データベース１２０に予め書き込まれている全ての種類の下地素材を表示部１１８に一覧表示する。
そして、素材設定部１１１は、操作者が上述した一覧表示からいずれかの下地素材を選択すると、その下地識別情報をベースインキ選択部１１２及びＬ＊ａ＊ｂ＊算出部１１６に対して出力し、処理をステップＳ２へ進める。
【０１５６】
ステップＳ２：
ベースインキ選択部１１２は、ベースインキデータベース１１９に記憶されているベースインキから、操作者が選択した下地素材に対応するべースインキを選択し、表示部１１８に対して一覧表示する。
このとき、ベースインキ選択部１１２は、耐性データの種類、透明度及び価格などの属性データによりグルーピングされた状態で、分類して表示部１１８に表示する。
そして、ベースインキ選択部１１２は、操作者が選択したベースインキのグループを、配合インキを配合するためのベースインキとして使用するため、このグループに含まれるベースインキのベースインキ識別番号をコンビネーション設計部１１３に対して出力し、処理をステップＳ３へ進める。
【０１５７】
ステップＳ３：
コンビネーション設計部１１３は、操作者が選択したグループのベースインキのベースインキ識別情報が供給されると、配合インキを配合するための、色成分３種類と希釈成分１種類の計４種類のベースインキの組合せを作成する。
このとき、コンビネーション設計部１１３は、生成した組合せ毎に構成するベースインキの色を抽出し、この抽出した色の組合せにより、予め設定されている除外組合せであるか否かの判定を行い、除外組合せと同一の色の組合せで有る場合、この組合せを除去して削除する。
【０１５８】
そして、コンビネーション設計部１１３は、除外組合せを除去した残りの組合せを、再現可能色域データベース１６の配合インキテーブルに対し、配合するベースインキの組合せである配合インキ組として、順次書き込んで記憶させ、処理をステップＳ４へ進める。
また、コンビネーション設計部１１３は、現在の配合インキ組の各々における下地素材情報の欄に、操作者の選択した下地素材の下地素材識別情報を書き込んで記憶させる。
【０１５９】
ステップＳ４：
初期配合設定部１１４は、再現可能色域データベース１６の配合インキテーブルから、順番に配合インキ組を読み出す。
そして、初期配合設定部１１４は、読み出した配合インキ組のベースインキの配合割合を示す配合比率を、所定の基準幅により変化させて、この初期配合における配合比率で配合する配合インキに対して配合インキ識別情報及び色番号を与え、再現可能色域データベース１６に書き込んで記憶させる。また、初期配合設定部１１４は、この配合インキの配合に用いるベースインキのベースインキ識別情報と、それぞれの配合比率と、分光反射率とを、べースインキ情報として、他の属性データとともに、再現可能色域データベース１６配合インキテーブルに書き込んで記憶させる。そして、初期配合設定部１１４は、処理をステップＳ５へ進める。
【０１６０】
ステップＳ５：
分光反射率計算部１１５は、配合インキ組におけるベースインキの配合比率の各々に対応した配合インキの分光反射率を計算するため、再現可能色域データベース１６の配合インキテーブルから、ベースインキ情報を配合インキ識別情報の順番に読み出す。
次に、分光反射率計算部１１５は、読み出したベースインキ情報における各ベースインキの配合比率及び分光反射率により、配合インキ毎の配合比率により配合インキの分光反射率を、（１）式により算出する。
【０１６１】
そして、分光反射率計算部１１５は、再現可能色域データベース１６の配合インキテーブルのそれぞれの配合インキ組の配合インキの分光反射率の欄に、算出した配合インキそれぞれの分光反射率を書き込んで記憶させる。
分光反射率計算部１１５は、配合インキ組における配合比率のコンビネーションの全てに対する分光反射率の算出が終了すると、Ｌ＊ａ＊ｂ＊算出部１１６に対してＬ＊ａ＊ｂ＊値の算出を指示する制御信号を出力する。
【０１６２】
次に、Ｌ＊ａ＊ｂ＊算出部１１６は、ベースインキデータベース１１９から等色関数と、ベースインキの分光反射率を行った際の照明の分光反射強度とを読み出し、素材データベース２０から操作者の選択した下地素材の分光反射率を読み出す。
そして、Ｌ＊ａ＊ｂ＊算出部１１６は、再現可能色域データベース１６の配合インキテーブルから、現在処理している配合インキ組の分光反射率を、配合インキ識別情報の順番に順次読み出す。
【０１６３】
これにより、Ｌ＊ａ＊ｂ＊算出部１１６は、読み出した順番に、配合比率毎の分光反射率と、読み出した等色関数と、照明の分光反射強度と、操作者の選択した下地素材の分光反射率とから、配合比率毎に下地素材に対応したＬ＊ａ＊ｂ＊値を求める。
Ｌ＊ａ＊ｂ＊算出部１１６は、求めたＬ＊ａ＊ｂ＊値をそれぞれの配合インキ識別情報に対応させ、再現可能色域データベース１６の配合インキテーブルに書き込み、処理をステップＳ６へ進める。
【０１６４】
ステップＳ６：
分光反射率計算部１１５は、再現可能色域データベース１６の配合インキテーブルにおける配合インキ組における全てのインキの組合せに対する分光反射率の計算が終了し、かつＬ＊ａ＊ｂ＊値を求める処理が終了したか否かの判定を行う。
このとき、分光反射率計算部１１５は、分光反射率及びＬ＊ａ＊ｂ＊値を求める処理が終了した場合、処理をステップＳ７へ進める。一方、分光反射率計算部１１５は、分光反射率及びＬ＊ａ＊ｂ＊値を求める処理が終了していない場合、処理をステップＳ４へ進める。
【０１６５】
ステップＳ７：
次に、Ｌ＊ａ＊ｂ＊空間補完部１１７は、ステップＳ６で分光反射率計算部１１５が計算した実数のＬ＊ａ＊ｂ＊値を離散化（例えば、小数点以下の数値を四捨五入して整数化）し、離散化した結果の離散化Ｌ＊ａ＊ｂ＊値の集合を配合計算対象Ｌ＊ａ＊ｂ＊群とし、処理をステップＳ８へ進める。
図４７は、Ｌ＊ａ＊ｂ＊空間補完部１１７が行う離散化を説明する図である。この図４７においては、Ｌ＊値方向の軸を省略して記載し、ａ＊値及びｂ＊値の軸からなる２次元平面を示しているが、実際にはＬ＊ａ＊ｂ＊空間である。図４７（ａ）は、所定の配合比率において初期配合された配合インキのＬ＊ａ＊ｂ＊値（計算値）をプロットした図である。図４７（ｂ）は、配合インキのＬ＊ａ＊ｂ＊値を離散化して離散化Ｌ＊ａ＊ｂ＊値（離散化）としてプロットした図である。
【０１６６】
ステップＳ８：
そして、Ｌ＊ａ＊ｂ＊空間補完部１１７は、配合計算対象Ｌ＊ａ＊ｂ＊群に含まれる離散化Ｌ＊ａ＊ｂ＊値の各々に対し、Ｌ＊±ｄＬ（ΔＬ）、ａ＊±ｄａ（Δａ）、ｂ＊±ｄｂ（Δｂ）した離散化Ｌ＊ａ＊ｂ＊値を新規配合計算対象とし、配合計算対象Ｌ＊ａ＊ｂ＊群へ加える。一方、Ｌ＊ａ＊ｂ＊空間補完部１１７は、配合計算対象Ｌ＊ａ＊ｂ＊群の補集合における離散化Ｌ＊ａ＊ｂ＊値を配合計算対象外Ｌ＊ａ＊ｂ＊群とし、処理をステップＳ９へ進める。ここで、ｄＬ、ｄａ、ｄｂの各々は、予め設定された所定の数値であり、離散化した数値が例えば整数値である場合、それぞれ「１」である。
ここで、Ｌ＊ａ＊ｂ＊空間補完部１１７は、配合計算対象Ｌ＊ａ＊ｂ＊群におけるＬ＊±ｄＬ、ａ＊±ｄａ、ｂ＊±ｄｂした離散化Ｌ＊ａ＊ｂ＊値において、すでに配合計算対象Ｌ＊ａ＊ｂ＊群にあり、重複する離散化Ｌ＊ａ＊ｂ＊値を削除する。
【０１６７】
図４８は、計算対象の配合計算対象Ｌ＊ａ＊ｂ＊群に含まれる離散化Ｌ＊ａ＊ｂ＊値の設定を説明する図である。図４８は、図４７と同様に、Ｌ＊値方向の軸を省略して記載し、ａ＊値及びｂ＊値の軸からなる２次元平面を示しているが、実際にはＬ＊ａ＊ｂ＊空間である。図４８（ａ）は、配合計算対象の離散化Ｌ＊ａ＊ｂ＊値（計算対象）に対し、配合計算対象の離散化Ｌ＊ａ＊ｂ＊値の各々をＬ＊±ｄＬ、ａ＊±ｄａ、ｂ＊±ｄｂした離散化Ｌ＊ａ＊ｂ＊値（新規対象）を設定した図である。
【０１６８】
ステップＳ９：
Ｌ＊ａ＊ｂ＊空間補完部１１７は、配合計算対象Ｌ＊ａ＊ｂ＊群と配合計算対象外Ｌ＊ａ＊ｂ＊群の連結の評価を行う。
ここで、Ｌ＊ａ＊ｂ＊空間補完部１１７は、配合計算対象Ｌ＊ａ＊ｂ＊群内の各離散化Ｌ＊ａ＊ｂ＊値の連結（隣接している）と、配合計算対象外Ｌ＊ａ＊ｂ＊群内のＬ＊ａ＊ｂ＊値の連結とを、すなわちグルーピングしてグループ数を評価する。図４８（ｂ）は、配合計算対象Ｌ＊ａ＊ｂ＊値（計算対象）と、計算対象外Ｌ＊ａ＊ｂ＊値（計算対象外）とのグルーピング結果を示す図である。図４８（ｂ）においては、計算対象外Ｌ＊ａ＊ｂ＊値のグループが複数存在している。
【０１６９】
すなわち、Ｌ＊ａ＊ｂ＊空間補完部１１７は、配合計算対象Ｌ＊ａ＊ｂ＊群内の各離散化Ｌ＊ａ＊ｂ＊値がＬ＊ａ＊ｂ＊空間において上下（Ｌ軸方向）前後（ａ軸方向）左右（ｂ軸方向）の６方向において配合計算対象Ｌ＊ａ＊ｂ＊群内の他の離散化Ｌ＊ａ＊ｂ＊値と連結されている離散化Ｌ＊ａ＊ｂ＊値からなるグループ数を計数する。
同様に、Ｌ＊ａ＊ｂ＊空間補完部１１７は、配合計算対象外Ｌ＊ａ＊ｂ＊群内の各離散化Ｌ＊ａ＊ｂ＊値がＬ＊ａ＊ｂ＊空間において上下前後左右の６方向において配合計算対象外Ｌ＊ａ＊ｂ＊群内の他の離散化Ｌ＊ａ＊ｂ＊値と連結されている離散化Ｌ＊ａ＊ｂ＊値からなるグループ数を計数する。
【０１７０】
ステップＳ１０：
次に、Ｌ＊ａ＊ｂ＊空間補完部１１７は、配合計算対象Ｌ＊ａ＊ｂ＊群内の各離散化Ｌ＊ａ＊ｂ＊値のグループと、配合計算対象外Ｌ＊ａ＊ｂ＊群内の各離散化Ｌ＊ａ＊ｂ＊値のグループとの各々が１つであるか否かの判定を行う。
このとき、Ｌ＊ａ＊ｂ＊空間補完部１１７は、配合計算対象Ｌ＊ａ＊ｂ＊群内の各離散化Ｌ＊ａ＊ｂ＊値のグループと、配合計算対象外Ｌ＊ａ＊ｂ＊群内の各離散化Ｌ＊ａ＊ｂ＊値のグループとの各々が１つである場合、処理をステップＳ１１へ進める。  ここで、図４８（ｃ）は、配合計算対象Ｌ＊ａ＊ｂ＊値と、計算対象外Ｌ＊ａ＊ｂ＊値とのグルーピング結果を示す図である。図４８（ｃ）においては、配合計算対象Ｌ＊ａ＊ｂ＊値（計算対象）と、計算対象外Ｌ＊ａ＊ｂ＊値（対象外）とのグループが一つずつ構成されている。
一方、Ｌ＊ａ＊ｂ＊空間補完部１１７は、配合計算対象Ｌ＊ａ＊ｂ＊群内の各離散化Ｌ＊ａ＊ｂ＊値のグループ、あるいは配合計算対象外Ｌ＊ａ＊ｂ＊群内の各離散化Ｌ＊ａ＊ｂ＊値のグループのいずれか一方でも２つ以上有る場合、処理をステップＳ８へ戻す。
【０１７１】
ステップＳ１１：
Ｌ＊ａ＊ｂ＊空間補完部１１７は、新規配合計算対象として離散化Ｌ＊ａ＊ｂ＊値を得るためのベースインキの配合比率を求める。
このとき、Ｌ＊ａ＊ｂ＊空間補完部１１７は、新規配合計算対象の離散化Ｌ＊ａ＊ｂ＊値各々の配合比率の計算において、配合比率の初期値として予め設定した初期配合比率を用いて、上記離散値に対応する配合比率を算出する。ここで、初期配合比率は任意であり、３種類のベースインキを用いる場合、例えば３４％、３３％、３３％などと設定して良い。
また、Ｌ＊ａ＊ｂ＊空間補完部１１７は、この配合比率の計算過程において、配合比率の結果として得られた予測Ｌ＊ａ＊ｂ＊値を離散化する。
【０１７２】
そして、Ｌ＊ａ＊ｂ＊空間補完部１１７は、離散化した予測Ｌ＊ａ＊ｂ＊値と、目標値である配合計算対象Ｌ＊ａ＊ｂ＊値とが一致するかを確認し、一致した場合に配合計算済Ｌ＊ａ＊ｂ＊値とし、計算済Ｌ＊ａ＊ｂ＊群に加え、かつ配合計算対象Ｌ＊ａ＊ｂ＊群から除く。
【０１７３】
図４９は、配合計算対象外Ｌ＊ａ＊ｂ＊群に含まれる離散化Ｌ＊ａ＊ｂ＊値の配合比率を算出する処理を説明する図である。図４９（ａ）は、図４８（ｃ）における配合計算対象とされた離散化Ｌ＊ａ＊ｂ＊値において配合比率を求める計算が収束せず、配合計算対象とされた離散化Ｌ＊ａ＊ｂ＊値（例えば、ａ＊＝２４、ｂ＊＝２１の離散化Ｌ＊ａ＊ｂ＊値など）が、再度、配合計算対象外の離散化Ｌ＊ａ＊ｂ＊値とされたことを示す図である。この図４９（ａ）においては、配合比率の計算が収束した離散化Ｌ＊ａ＊ｂ＊値（計算済）のみが示されている。
【０１７４】
ステップＳ１２：
そして、Ｌ＊ａ＊ｂ＊空間補完部１１７は、計算済Ｌ＊ａ＊ｂ＊群に含まれる離散化Ｌ＊ａ＊ｂ＊値の各々に対し、Ｌ＊±ｄＬ、ａ＊±ｄａ、ｂ＊±ｄｂした離散化Ｌ＊ａ＊ｂ＊値において、計算済Ｌ＊ａ＊ｂ＊群における離散化Ｌ＊ａ＊ｂ＊値と重複しない離散化Ｌ＊ａ＊ｂ＊値を新規配合計算対象とし、配合計算対象Ｌ＊ａ＊ｂ＊群へ加える。なお、図４９（ｂ）は計算済と新規計算対象のＬ＊ａ＊ｂ＊値を示している。
【０１７５】
ステップＳ１３：
次に、Ｌ＊ａ＊ｂ＊空間補完部１１７は、配合計算対象Ｌ＊ａ＊ｂ＊群における新たに設定された新規配合計算対象の離散化Ｌ＊ａ＊ｂ＊値に対して、配合比率の再計算を行う。
このとき、Ｌ＊ａ＊ｂ＊空間補完部１１７は、配合比率の初期値として、配合計算済Ｌ＊ａ＊ｂ＊群の中で最も小さい色差のものを用いる。ここで、同じ色差のものが存在した場合には、その中のいずれを初期値としても良い。例えば、Ｌ＊値、ａ＊値、ｂ＊値の順番で予めいずれを用いるかの優先順位を設定しておく。
そして、Ｌ＊ａ＊ｂ＊空間補完部１１７は、予め設定した演算回数の範囲内において、離散化した予測Ｌ＊ａ＊ｂ＊値と、目標値である配合計算対象Ｌ＊ａ＊ｂ＊群における離散化Ｌ＊ａ＊ｂ＊値とが一致するかを確認し、一致した場合に配合計算済の離散化Ｌ＊ａ＊ｂ＊値とし、配合計算済Ｌ＊ａ＊ｂ＊群に含める。
【０１７６】
ステップＳ１４：
Ｌ＊ａ＊ｂ＊空間補完部１１７は、ステップＳ１３において、配合計算済Ｌ＊ａ＊ｂ＊群に新たに含めた離散化Ｌ＊ａ＊ｂ＊値が、すでに配合計算済Ｌ＊ａ＊ｂ＊群に含まれているいずれかの離散化Ｌ＊ａ＊ｂ＊値と一致する数値が存在した場合、処理をステップＳ１２に戻す。
一方、Ｌ＊ａ＊ｂ＊空間補完部１１７は、ステップＳ１３において、配合計算済Ｌ＊ａ＊ｂ＊群に新たに含めた離散化Ｌ＊ａ＊ｂ＊値が、すでに配合計算済Ｌ＊ａ＊ｂ＊群に含まれている離散化Ｌ＊ａ＊ｂ＊値のいずれとも一致しない場合、処理を終了する。図４９（ｃ）は、再計算の結果で収束しなかった離散化Ｌ＊ａ＊ｂ＊値（計算済）と、計算対象外の離散化Ｌ＊ａ＊ｂ＊値が、色域外の離散化Ｌ＊ａ＊ｂ＊値（色域外）となったことを示す図である。
【０１７７】
上述したように、本実施形態によれば、操作者が選択する下地素材と、耐性データ及び価格などの属性データとなどに対応させてＬ＊ａ＊ｂ＊色空間における離散化Ｌ＊ａ＊ｂ＊値を算出し、Ｌ＊ａ＊ｂ＊色空間に疎の領域（Ｌ＊ａ＊ｂ＊値として算出されていない座標値の密度が少ない領域）がなくなるように、すなわち色の連続性が従来に比較して高い色域データとしての離散化Ｌ＊ａ＊ｂ＊値を容易に補完して得ることができる。
これにより、本実施形態によれば、再現可能な色域内における離散化Ｌ＊ａ＊ｂ＊値が隣接する他の離散化Ｌ＊ａ＊ｂ＊値と連結された状態、すなわち疎の領域が無い状態となるため、高い精度で再現色に対応させた配合比率を得ることが可能となり、デザイナーが希望する、彩色を行う下地の素材に対応させた色を再現するベースインキの種類と、それらベースインキの配合比率とを容易に求めることができるデータベースを作成することができる。
【０１７８】
また、本実施形態によれば、属性データの一つである入手及び使用可能地域により、ベースインキのグループを形成し、デザイナーが作業する地域において容易に入手及び使用可能なベースインキによって、配合色の色域データを得ることが可能となり、デザイナーの作業効率を上げることができる。
更に、色彩製品製造者においても、色決定者が指定した色は、製品に使用される素材で再現可能なものであること、また色再現に用いるベースインキの組合せと初期配合が判ることから、色合せ作業を効率化することができる。
【０１７９】
また、図１における色見本生成システム１と図４０における色域データベース作成システム１００との各々の機能を実現するためのプログラムをコンピュータ読み取り可能な記録媒体に記録して、この記録媒体に記録されたプログラムをコンピュータシステムに読み込ませ、実行することによりデータベース作成の処理を行ってもよい。なお、ここでいう「コンピュータシステム」とは、ＯＳや周辺機器等のハードウェアを含むものとする。
【０１８０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１８１】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【０１８２】
この発明によれば、色決定者よる色選択時に、色決定者が望む色に近い色が選択でき、かつ選択した色の再現が容易となる色見本を容易に作成することができるので、産業上有用である。
【符号の説明】
【０１８３】
１０…色見本生成システム
１１…配合比率抽出部
１２…配合比率変更部
１３…座標値算出部
１４…色彩出力部
１５，１１８…表示部
１６…再現可能色域データベース
１７…パラメータデータベース
１８…色見本データベース
１００…色域データベース作成システム
１１１…素材設定部
１１２…ベースインキ選択部
１１３…コンビネーション設計部
１１４…初期配合設定部
１１５…分光反射率計算部
１１６…Ｌ＊ａ＊ｂ＊値算出部
１１７…Ｌ＊ａ＊ｂ＊空間データ補完部
１１９…ベースインキデータベース
１２０…素材データベース
【要約】
本発明は、複数のベースインキから配合される色彩の色見本を生成する色見本生成システムであり、前記ベースインキから配合される配合インキの配合比率と、当該配合インキの色空間における座標値とが対応づけられて記憶されている色域データベースと、外部から供給される色彩に対応する配合インキである対象配合インキの前記座標値により、前記色域データベースから対象配合インキにおける前記ベースインキの種類と、当該ベースインキの配合比率を読み出す配合比率抽出部と、前記ベースインキ毎の配合量を予め設定された割合にて変更し、変更結果により変化した前記配合インキ毎の配合比率である変更配合比率を生成する配合比率変更部と、前記変更配合比率の示す前記対象配合インキの前記座標値を、前記対象配合インキの前記配合比率の前記座標値に基づいて算出する座標値算出部と、前記対象配合インキの前記配合比率及び前記変更配合比率の各々の前記座標値を出力する色彩出力部とを有することを特徴とする色見本生成システム、色見本生成方法、および前記色見本生成システムの機能をコンピュータに実行させるプログラムを提供する。【図１】
0005707544.tif 000006
【図２】
0005707544.tif 000007
【図３】
0005707544.tif 000008
【図４】
0005707544.tif 000009
【図５】
0005707544.tif 000010
【図６】
0005707544.tif 000011
【図７】
0005707544.tif 000012
【図８】
0005707544.tif 000013
【図９】
0005707544.tif 000014
【図１１】
0005707544.tif 000015
【図１２】
0005707544.tif 000016
【図１４】
0005707544.tif 000017
【図１５】
0005707544.tif 000018
【図１７】
0005707544.tif 000019
【図１８】
0005707544.tif 000020
【図２０】
0005707544.tif 000021
【図２１】
0005707544.tif 000022
【図２３】
0005707544.tif 000023
【図２４】
0005707544.tif 000024
【図２６】
0005707544.tif 000025
【図２７】
0005707544.tif 000026
【図２８】
0005707544.tif 000027
【図３０】
0005707544.tif 000028
【図３１】
0005707544.tif 000029
【図３３】
0005707544.tif 000030
【図３４】
0005707544.tif 000031
【図３６】
0005707544.tif 000032
【図３７】
0005707544.tif 000033
【図３９】
0005707544.tif 000034
【図４０】
0005707544.tif 000035
【図４１】
0005707544.tif 000036
【図４２】
0005707544.tif 000037
【図４３】
0005707544.tif 000038
【図４４】
0005707544.tif 000039
【図４５】
0005707544.tif 000040
【図４６】
0005707544.tif 000041
【図４７】
0005707544.tif 000042
【図４８】
0005707544.tif 000043
【図４９】
0005707544.tif 000044
【図１０】
0005707544.tif 000045
【図１３】
0005707544.tif 000046
【図１６】
0005707544.tif 000047
【図１９】
0005707544.tif 000048
【図２２】
0005707544.tif 000049
【図２５】
0005707544.tif 000050
【図２９】
0005707544.tif 000051
【図３２】
0005707544.tif 000052
【図３５】
0005707544.tif 000053
【図３８】
0005707544.tif 000054